(57)【特許請求の範囲】
【請求項１】
定位置空間に配備されるものであって、この定位置空間内に存する人間にハイテンション感覚を与えるための緊張感惹起手段と、前記定位置空間に存する人間にリラックス感覚を与えるためのリラックス感惹起手段とを具備してなり、これら緊張感惹起手段及びリラックス感惹起手段が、人間の視覚、聴覚、触覚などを刺激する家具を通じて実現するものであり、内部空間を有する家具が、天板部と、内部空間の開口部に設けた透光性を有する蓋体とを備え且つ主要部をアルミダイキャストにより構成したものであり、前記緊張感惹起手段が、前記主要部のうち外面に直接又は薄い塗装を介して表出させたアルミダイキャストの鋳肌部分、及び前記蓋体を介して外部から視認可能なメカニカル造形物及び照明機構であり、リラックス感惹起手段が、自然界に存在する形態を模して前記家具に施した自然回帰タイプの造形部分、及び青系統の前記蓋体であることを特徴とする知的活動空間構成設備。
【請求項２】
前記造形部分が、波の形状を模して造形された家具の天板部における使用縁部分である請求項１記載の知的活動空間構成設備。
【請求項３】
前記造形部分が、動物の脚を模して造形された家具の脚部である請求項１記載の知的活動空間構成設備。
【請求項４】
前記家具が天板部を有したものであり、緊張感惹起手段が、前記天板部をアルミダイキャストにより厚みを有したボックス状をなす形態に成形したものである請求項１記載の知的活動空間構成設備。
【請求項５】
前記天板部が、天板面に開口する空洞部分を備えた厚みを有するボックス状の天板部本体と、この天板部本体の開口に装着されて天板面の一部を形成する透光性を有する蓋体とを具備するものであり、緊張感惹起手段が、前記主要部のうち外面に直接又は薄い塗装を介して表出させたアルミダイキャストの鋳肌部分、及び前記蓋体を介して外部から視認可能なメカニカル造形物に加えて、照明機構として前記天板部本体の空洞部分に配した発光体と、この発光体に電力を供給する電源装置とを備えてなり、前記電源装置に設けたスイッチ部の切り替えにより発光体を点灯又は消灯させることにより天板部近傍に位置する人間をハイテンション状態に導き得るようにしたものである請求項４記載の知的活動空間構成設備。
【請求項６】
前記天板部が、天板面に開口する空洞部分を備えた厚みを有するボックス状の天板部本体と、この天板部本体の開口に装着されて天板面の一部を形成する透光性を有する蓋体とを具備するものであり、リラックス感惹起手段が、自然界に存在する形態を模して前記家具に施した自然回帰タイプの造形部分、及び青系統の前記蓋体に加えて、前記天板部本体の空洞部分に配した発光体と、この発光体に電力を供給する電源装置とを備えてなり、この発光体の点灯状態を所望時間維持することにより天板部近傍に位置する人間をリラックス状態に導き得るようにしたものである請求項４又は５記載の知的活動空間構成設備。
【請求項７】
前記天板部が、天板面に開口する空洞部分を備えた厚みを有するボックス状の天板部本体と、この天板部本体の開口に装着されて天板面の一部を形成する透光性を有する蓋体とを具備するものであり、リラックス感惹起手段が、自然界に存在する形態を模して前記家具に施した自然回帰タイプの造形部分に加えて、前記蓋体として選択された青系統のガラス板である請求項４乃至６のいずれか１項に記載の知的活動空間構成設備。
【請求項８】
定位置空間に家具を配したものであって、緊張感惹起手段が、前記主要部のうち外面に直接又は薄い塗装を介して表出させたアルミダイキャストの鋳肌部分、及び前記蓋体を介して外部から視認可能なメカニカル造形物及び照明機構に加えて、前記家具に設けたスピーカユニットを備えてなるものであり、前記スピーカユニットから発せられる音響プログラムを順次異種類のものに切り替えることによって、家具近傍に位置する人間に緊張感を与え得るように構成したものである請求項１記載の知的活動空間構成設備。
【請求項９】
定位置空間に家具を配したものであって、リラックス感惹起手段が、自然界に存在する形態を模して前記家具に施した自然回帰タイプの造形部分、及び前記蓋体を介して外部から視認可能なメカニカル造形物及び照明機構に加えて、前記家具に設けたスピーカユニットを備えてなるものであり、前記スピーカユニットから発せられる特定種類の音響プログラムを所定時間持続させることにより、家具近傍に位置する人間にリラックス感を与え得るように構成したものである請求項１記載の知的活動空間構成設備。
【請求項１０】
定位置空間に家具を配したものであって、緊張感惹起手段と、リラックス感惹起手段とが、前記家具に設けたスピーカユニットを共有してなり、前記スピーカユニットから複数種類の音響プログラムを所定時間毎に切り替えて出力させることによって、家具の近傍に位置する人間に、緊張感とリラックス感を交互に与え得るように構成したものである請求項１記載の知的活動空間構成設備。
【請求項１１】
音響プログラムが、波の音、風の音、せせらぎ音、街の音等の外部音を収録したものである請求項８乃至１０のいずれか１項に記載の知的活動空間構成設備。
【請求項１２】
定位置空間にスピーカユニットを備えた家具を配したものであって、緊張感惹起手段が、前記主要部のうち外面に直接又は薄い塗装を介して表出させたアルミダイキャストの鋳肌部分、及び前記蓋体を介して外部から視認可能なメカニカル造形物及び照明機構であって、前記メカニカル造形物が、スピーカユニットの裏側の音を定点に位置する人間の腹部近傍に導くためのバックロード形の音響管である請求項１記載の知的活動空間構成設備。
【請求項１３】
メカニカル造形物が、天板部をスピーカボックスとして機能させるための音響管である請求項１、５、８、９又は１２記載の知的活動空間構成設備。
【発明の詳細な説明】
【０００１】
【発明の属する技術分野】
本発明は、オフィスやホーム等の定位置空間に配備される知的活動空間構成設備に関するものである。
【０００２】
【従来の技術】
これまでオフィスやホームにおける人間の活動空間は、機能的、役割的概念に基いて構築されるのが一般的であった。例えば、従来のオフィスに対しては、便利な環境、見栄えのよい雰囲気、管理的な清潔空間などを目指して各種設備の開発が行われている。そのため、ワーキングスペース、ミーティングスペースなどにおいては、整然としたシステムデスクや機能的なキャビネットあるいは平面的で白く明るい照明設備などが主流をなしており、また、マネジメントスペースなどにおいては、重厚で威圧的な家具類が主な構成設備をなしている。
【０００３】
【発明が解決しようとする課題】
２１世紀に足を踏み入れた今日、世界的な生産と需要のアンバランスに起因して企業間の競争はますますその激しさを増しており、また、高度情報化社会を背景に、消費者の消費行動の変化はグローバルスケールでスピードアップしつつある。
【０００４】
そのため、各企業は、こうした競争に追従できる体力、資本力、スピードが要求されるとともに、熾烈な消耗戦を勝ち抜くための創造力が強く求められることが予想される。つまり、企業スタッフひとりひとりに「知的集約力と創造性」が問われ、それらをバックアップする知的生産の場がいかなる職種においても、きわめて重要なファクターとなる。
【０００５】
ところが、「便利な環境」を目指して開発された従来のオフィスにおいては、ＰＣ設備やネット環境の高度化により、定常的な事務処理の効率化は飛躍的に進歩したものの、人間のクリエイティビティの向上は期待できない。また、「見栄えのよい雰囲気」を重視する従来のオフィスにおいては、仕上げ技術の進歩により、表面的な美的空間やバーチャル的な環境づくりは前進したが、その薄っぺらさとリアリティの欠如に、人は創造力と直結した本来の生命力を低下させつつあり、確かな存在への飢餓感を強く感じている。さらに、「管理的な清潔空間」を目指す従来のオフィスにおいては、人の生命力を高めるのに不可欠な適度な緊張感とリラックス感との交錯がなく、自発的な活動や自由な発想を鼓舞することはできない。
【０００６】
以上のように、従来のオフィス空間を構成している設備は、ルーティンワークの効率化を図る上で極めて優れた役割をなしてはいるが、今後あらゆる企業に要求される「知的集約力と創造性」をバックアップするための設備としては不向きである。
【０００７】
従来、ホームにおける書斎や家事室を構成している設備についても、前述したオフィスと同様な傾向があり、家庭にクリエイティブスタジオを構築したいという要望には応えることができないのが現状である。
【０００８】
【課題を解決するための手段】
以上説明した課題を解決するために、本発明者らは、F１グランプリの頂点に立った過去の経験や、地中海にアトリエを置くトップアーティストとの交際などを通じて、「知的集約力や創造性」を向上させるための要素を探求した。その結果、創造力を高めるには、人間本来の生命力を高揚させて知的集中力を強化することが肝要であり、その方法として適度な緊張感とリラックス感とをリズミカルに作用させることが有効である点を見出した。すなわち、コンセントレーションとも言うべきわくわくするようなテンションの高まりと、やすらぎに満ちたリラクゼーションが人間に対してあたかも波のように大きな振幅で繰り返し作用する時、人は内に眠っていた生命力を掻き立てられることになり、我を忘れて集中できる状況が出現するとともに、自らを鼓舞し目的達成のためにチャレンジしてゆく感覚を味わいながら高い創造力を発揮するに至ることが判明した。
【０００９】
トップアーティストたちは、かかる状況を種々の環境に身を移しながら無意識のうちに自らの周囲に創りだしているわけであるが、本発明者は、オフィスやホームなどを構成する定位置空間に、緊張感を惹き起こすための手段と、リラックス感を惹き起こすための手段を共に配設することによって、種々の環境に移動することができないオフィスワーカ等にも適応した知的生産の場を創りだすことができることを確認し、本発明を完成させるに至った。
【００１０】
すなわち、本発明に係る知的活動空間構成設備は、定位置空間に配備されるものであって、この定位置空間内に存する人間にハイテンション感覚を与えるための緊張感惹起手段と、前記定位置空間に存する人間にリラックス感覚を与えるためのリラックス感惹起手段とを具備してなり、これら緊張感惹起手段及びリラックス感惹起手段が、人間の視覚、聴覚、触覚などを刺激する家具を通じて実現するものであり、内部空間を有する家具が、天板部と、内部空間の開口部に設けた透光性を有する蓋体とを備え且つ主要部をアルミダイキャストにより構成したものであり、前記緊張感惹起手段が、前記主要部のうち外面に直接又は薄い塗装を介して表出させたアルミダイキャストの鋳肌部分、及び前記蓋体を介して外部から視認可能なメカニカル造形物及び照明機構であり、リラックス感惹起手段が、自然界に存在する形態を模して前記家具に施した自然回帰タイプの造形部分、及び青系統の前記蓋体であることを特徴とする。
【００１１】
このような構成のものであれば、定位置空間に居ながら、緊張感惹起手段により与えられるハイテンション感覚と、リラックス感惹起手段により与えられるやすらぎ感覚を享受することができるようになる。
【００１２】
なお、緊張感惹起手段とリラックス感惹起手段とが共存しておりさえすれば、その定位置空間に存する人間は、前記緊張感惹起手段に注意を向ける行為と、前記リラックス感惹起手段に注意を向ける行為とを適宜選択し調整することによって、自らにハイテンション感覚とリラックス感覚とに起因した生命リズムを創りだすことは可能である。しかし、より能動的に、前記ハイテンション感覚と前記リラックス感覚とにより作り出されるリズムを定位置空間に存する人間に対して継続的に惹起させ得るように工夫してもよいのは勿論である。
【００１３】
緊張感惹起手段及びリラックス感惹起手段は、主として人間の視覚、聴覚、触覚などを刺激する手段を通じて実現することができ、例えば、定位置空間に配される家具に化体させておくことができる。
【００１４】
その場合、家具の主要部を金属素材により構成しておき、主要部のうち外面に表出させた金属素材の地肌部分に緊張感惹起手段としての役割を担わせることができる。金属素材の有する視覚的な堅牢さや未来感が人間の神経を敏感に刺激するからである。特に、家具の主要部をアルミダイキャストにより構成し、外面に表出させたアルミダイキャストの鋳肌部分に緊張感惹起手段としての役割を担わせた場合には、定位置空間に存する人間にとりわけ強力なハイテンション感覚を与えることができる。ここで、アルミダイキャストの鋳肌を外面に表出させる態様としては、直接表出させる場合のほか、透明被膜を介して視認可能に表出させる態様、或いは薄い着色塗装を介して間接的に表出させる態様等が挙げられる。直接表出させる態様の場合に、鋳物の表面を削りまたは磨く加工を施すことを妨げるものではない。特に型割りした際に、パーティングラインに沿ってバリが残り、これを削り取って磨く必要が生じる場合があるが、このままでは素肌と磨いた箇所の質感・外観が異なって見栄えが悪くなるため、どこかしらを磨くと、質感・外観を整えるために他の必要な部分、場合によっては全体を磨く措置を施すことがあるが、これは鋳肌を外面に表出させる態様に含まれる。また、透明被膜や着色塗装は、型割りした後に直ぐに被着させる態様の他に、パーティングラインのバリを削り取った後に被着させる態様も含まれる。着色塗装の場合は、直接的に鋳肌が視認可能なものではないが、人間はある限度において素地表面の光沢や接触感等からでもアルミダイキャストたる質感を感得できるものであり、それが感じられる程度に塗装厚みや色が薄ければ、着色を施してもアルミダイキャスト製品の重厚感や本物感を有効に醸し出すことができる。アルミの素材の色に近い色のメタリック塗装は、上に言う薄い着色塗装の態様に含まれる。
【００１５】
すなわち、レーシングテクノロジーに育まれたアルミダイキャストは、レーシングエンジンはもちろんのこと、シャーシーからホイールに至るまで、最重要素材として使用されているが、家具の主要部、すなわち、５０％以上の部位、好ましくは８０％以上の部位をアルミダイキャストにより構成するという新しい試みによって、本物感に溢れた印象を看者に与えることが可能になる。そのため、この家具をオフィス等の定位置空間に配置することによって、該定位置空間全体にスピード感と高質感をもたらすことになり、スタッフのやる気と集中を引き出す効果的な緊張感惹起手段となり得る。
【００１６】
リラックス感惹起手段としては、自然界に存在する形態を模して家具に施した自然回帰タイプの造形部分を挙げることができる。自然回帰タイプの造形としては、大地や海、空、植物、動物などの形態を直接取り入れたもの、あるいはこれらをモチーフとしたものなどを挙げることができる。家具に適用する場合の具体的な造形部分としては、波の形状を模して造形された家具の天板部における使用縁部分や、動物の脚を模して造形された家具の脚部等を挙げることができる。
【００１７】
アルミダイキャストは、本物感に溢れた造形が可能であるため、その形態の特徴を生かして緊張感惹起手段を構成することもできる。例えば、天板部を有した家具を定位置空間に配置する場合、前記天板部をアルミダイキャストにより厚みを有したボックス状をなす形態に成形したものにし、その天板部の立体構造形態を緊張感惹起手段としてもよい。
【００１８】
前記天板部が、天板面に開口する空洞部分を備えた厚みを有するボックス状の天板部本体と、この天板部本体の開口に装着されて天板面の一部を形成する透光性を有する蓋体とを具備するものである場合には、緊張感惹起手段を、前記天板部本体の空洞部分に配した発光体と、この発光体に電力を供給する電源装置とを備えてなるものにし、前記電源装置に設けたスイッチ部の切り替えにより発光体を点灯又は消灯させることにより天板部近傍に位置する人間をハイテンション状態に導き得るようにしたものが有効である。
【００１９】
光の点灯又は消滅は、定常状態に変化を持ち込むものであり、このような変化はビビッドに人間の心身に働いてこれらを活性化し、停滞のない緊張感を惹起させるものである。
【００２０】
なお、光が点灯した瞬間あるいは消滅した瞬間は、前述のように緊張感を惹き起こすものであるが、逆に、点灯したままの発光体は、光の持つ本来の暖かさにより人間に生理的な安定をもたらすものであり、リラックス感を与えて集中力を高める精神的土壌を形成し得るものとなる。しかして、前記天板部が、天板面に開口する空洞部分を備えた厚みを有するボックス状の天板部本体と、この天板部本体の開口に装着されて天板面の一部を形成する透光性を有する蓋体とを具備するものである場合に、前記天板部本体の空洞部分に配した発光体と、この発光体に電力を供給する電源装置とにリラックス感惹起手段としての役割を担わせることもできる。すなわち、この場合には、この発光体の点灯状態を所望時間維持することにより、天板部近傍に位置する人間にリラックス感を与えるものである。
【００２１】
前記天板部が、天板面に開口する空洞部分を備えた厚みを有するボックス状の天板部本体と、この天板部本体の開口に装着されて天板面の一部を形成する透光性を有する蓋体とを具備するものである場合に、前記蓋体として青系統のガラス板を選択することによってリラックス感惹起手段を構成することもできる。青系統のガラス板は、生命誕生の起源である海への回帰を連想させるものであり、それを眺める人間に深い安心感を与え、優れたリラックス環境を提供し得るものである。
【００２２】
聴覚に訴えて緊張感やリラックス感を惹起させる手段も重要である。例えば、緊張感惹起手段を、家具に設けたスピーカユニットを備えてなるものにし、前記スピーカユニットから発せられる音響プログラムを順次異種類のものに切り替えることによって、家具近傍に位置する人間に緊張感を与え得るように構成したものを挙げることができる。
【００２３】
あるいは、リラックス感惹起手段を、前記家具に設けたスピーカユニットを備えてなるものにし、前記スピーカユニットから発せられる特定種類の音響プログラムを所定時間持続させることにより、家具近傍に位置する人間にリラックス感を与え得るように構成したものも考えられる。
【００２４】
しかして、緊張感惹起手段と、リラックス感惹起手段とに、前記家具に設けたスピーカユニットを共有させ、前記スピーカユニットから複数種類の音響プログラムを所定時間毎に切り替えて出力させることによって、家具の近傍に位置する人間に、緊張感とリラックス感を交互に与え得るように構成することもできる。
【００２５】
この場合に使用する音響プログラムとしては、波の音、風の音、せせらぎ音、街の音等の外部音を収録したものを挙げることができる。
【００２６】
定位置空間に天板部を有した家具を配置したものであって、前記天板部が、天板面に開口する空洞部分を備えた厚みを有するボックス状の天板部本体と、この天板部本体の開口に装着されて天板面の一部を形成する透光性を有する蓋体とを具備する場合には、緊張感惹起手段が、前記天板部本体の空洞部分に配設され前記蓋体を介して外部から視認可能なメカニカル造形物であるものが有効である。このようにすれば、天板機能を高めるためのメカニカル造形物を、そのまま緊張感惹起手段として利用することができるからである。
【００２７】
メカニカル造形物としては、天板部をスピーカボックスとして機能させるための音響管が有効である。音響管は、導波管としての機能を営むために湾曲したラッパ状をなしており、スタイリッシュで機能美に富んだ形態を有するからである。
【００２８】
定位置空間にスピーカユニットを備えた家具を配したものにあっては、緊張感惹起手段として、スピーカユニットの裏側の音を定点に位置する人間の腹部近傍に導くためのバックロード形の音響管を利用することが有効である。腹部に低音が響けば、心地よい緊張状態に導けるからである。
【００３２】
【発明の実施の形態】
本発明の一実施の形態について、図面を参照して説明する。
【００３３】
図１は、定位置空間たるオフィス空間ＯＳを示したものである。このオフィス空間ＯＳ内には、オフィス空間ＯＳに存する人間にハイテンション感覚を与えるための緊張感惹起手段と、リラックス感覚を与えるためのリラックス感惹起手段を具備してなる知的活動空間構成設備が配されている。そして、本実施形態においては、この知的活動空間構成設備として、個人執務用のデスクＤ、椅子Ｉ、収納家具Ｃ、会議用のテーブルＴ、前記デスクＤに傍置されるサイドデスクＳなどの家具類に、前記緊張感惹起手段とリラックス感惹起手段とを化体させている。また、このオフィス空間ＯＳは、それぞれ機能を特化させた複数の小スペースに分けられており、具体的にはシンキングカフェＴＣ、２つのワーキングスペースＷ１及びＷ２、ミーティングスペースＭＳ、シアターＴＲなどを備えている。そして、図示したようにワーキングスペースＷ１には、個人用のデスクＤ、椅子Ｉ、収納家具Ｓ、前記個人用デスクＤに傍置されるサイドボードＳが、ミーティングスペースＭＳには、テーブルＴ、椅子Ｉが配置されている。以下に、これら知的活動空間構成設備を構成する家具類について説明する。
【００３４】
１、デスクＤ
図１から図１７を用いてデスクＤについて説明する。
【００３５】
図示したデスクＤは、天板部Ｄ１とそれを直接支持する前後各一対の脚要素Ｄ２ｆ，Ｄ２ｒとによって主として構成されている。天板部Ｄ１はさらに、天板部本体Ｄ３とそれに蓋設される蓋体たるガラス板Ｄ４とから主として構成される。
【００３６】
以下、各部の詳細について説明する。
【００３７】
まず、天板部本体Ｄ３は、天板面Ｄａの周縁部を形成する周囲水平壁Ｄ３１と、この周囲水平壁Ｄ３１の下面から垂下させた周囲立壁Ｄ３２とを具備し、鋳肌を外面に表出させたアルミダイキャスト製の一体成形品である。これら周囲水平壁Ｄ３１と周囲立壁Ｄ３２とは、中央部を上下に貫通させて空洞部分たる内部空間ＤＳを包囲する深みのあるボックス状の枠構造をなしており、天板部本体Ｄ３の上端に内部空間ＤＳを開放するための開口部Ｄ３ａが形成されるようにしている。また、その平面輪郭形状は、横長略矩形状であって、使用端Ｄ１ａは中央部をやや凹ませた部分円弧状にしており、反使用端Ｄ１ｂは中央部をやや膨出させた部分円弧状にしている。ここで、アルミダイキャストの鋳肌を外面に表出させる態様は、上述の通りである。そして、以下に説明するすべてのアルミダイキャスト製部材も、同様に鋳肌を表出させているが、その態様及び趣旨は上述のとおりである。
【００３８】
天板部本体Ｄ３の各部の構成について具体的に説明すると、まず、周囲立壁Ｄ３２は、周囲水平壁Ｄ３１の外縁からその全周に亘って垂下させた外壁要素Ｄ３３と、外壁要素Ｄ３３よりも内側において周囲水平壁Ｄ３１から垂下する１又は複数の内立壁要素とから構成した多重壁構造をなすものである。内立壁要素は、それらのうち、最も内側に配され周囲水平壁Ｄ３１の内縁から平面視略矩形状をなすように垂下させたものを内壁要素Ｄ３４としており、部分的にこれら外壁要素Ｄ３３及び内壁要素Ｄ３４間に形成したものを中間壁要素Ｄ３５としている。
【００３９】
中間壁要素Ｄ３５は、周囲水平壁Ｄ３１の反使用端Ｄ１ｂ側及び両側縁部において外壁要素Ｄ３３と内壁要素Ｄ３４との間に垂下させたもので、その周囲水平壁Ｄ３１の下面から下端までの高さ寸法は外壁要素Ｄ３３及び内壁要素Ｄ３４のそれよりも約３倍弱であり、周囲立壁Ｄ３２のうち最も大きい高さ寸法を有している。なお、外壁要素Ｄ３３と内壁要素Ｄ３４の高さ寸法は略同一である。反使用端Ｄ１ｂ側においてこの中間壁要素Ｄ３５は、外壁要素Ｄ３３に沿って中央部を後方へ向けてやや膨出させた部分円弧状をなしている。また、中間壁要素Ｄ３５には、使用端Ｄ１ａ側におけるコーナー部分で部分的に内側へＬ字形状に屈曲させて屈曲部Ｄ３５ａを形成する一方、反使用端側Ｄ１ｂにおけるコーナー部分で部分的に内側へ部分円弧状に湾曲させて湾曲部Ｄ３５ｂを形成することによって天板部本体Ｄ３の剛性を高めており、これら屈曲部Ｄ３５ａ、湾曲部Ｄ３５ｂと外壁要素Ｄ３３のコーナー部分との間に、下方に円筒状をなして突出させた脚要素取付部として機能する凸部分Ｄ３６を形成している。この凸部分Ｄ３６の具体的構成については後述する。
【００４０】
ここで、天板部本体Ｄ３の側縁部において、それぞれ前後に対をなす凸部分Ｄ３６の中心を、前後に延びる中間壁要素Ｄ３５のよりも天板部本体Ｄ３の幅方向に内側の位置に設定している一方、内壁要素Ｄ３４を前記凸部分Ｄ３６の内側縁と略同一ないし若干内寄りの位置に設定している。さらに、天板部本体Ｄ３の反使用端Ｄ１ｂ側においても同様に、後方へ湾曲して膨出する中間壁要素Ｄ３５を左右に対をなす凸部分Ｄ３６の中心よりもさらに奥方位置に設定している一方、内壁要素Ｄ３４を前記凸部分Ｄ３６の前縁と略同一ないし若干前方寄りの位置に設定している。また、天板部本体Ｄ３の使用端Ｄ１ａ側には、後述するようにこの天板部本体Ｄ３の内部空間ＤＳに設けられる引出しＤ８やＣＤユニットＤ７を前方に露出させる目的のため、その両側縁部を除いて中間壁要素Ｄ３５を設けていないが、内壁要素Ｄ３４を左右に対をなす凸部分Ｄ３６の中心と略同一ないし若干後方寄りの位置に設定している。このようにすることで、特に側縁部と反使用端Ｄ１ｂ側においては、凸部分Ｄ３６を前後又は左右に挟むように、前記外壁要素Ｄ３３、中間壁要素Ｄ３５及び内壁要素Ｄ３４とそれらに該当する周囲水平壁Ｄ３１の部位とによって理想的な太い梁構造が形成される。また、使用端Ｄ１ａ側においても、外壁要素Ｄ３３及び内壁要素Ｄ３４とそれらに該当する周囲水平壁Ｄ３１の部位とによって、機能性やデザイン性を損なわない程度に可能な限り太い梁構造が形成される。
【００４１】
前記開口部Ｄ３ａは、内壁要素Ｄ３４によって囲まれて形成されたもので、平面視、ガラス板Ｄ４と略同一ないし一回り大きい矩形状をなす。そしてその上端から前記ガラス板Ｄ４の略厚み分下がった位置に、内方に向かって延びる段部Ｄ３ｂが設けてあり、この段部Ｄ３ｂの上向き面にガラス板Ｄ４の周縁部下面を支持させるようにしている。なお、防振や密着性向上等の目的から、この上向き面とガラス板Ｄ４下面との間に、例えば透明樹脂シートを介在させるなどしてもよい。なお、本実施形態では、天板部本体Ｄ３の下面側において、内壁要素Ｄ３４を前記段部Ｄ３ｂの先端及び基端に二重壁構造をなすように形成することで、天板部本体Ｄ３の剛性を向上するようにしている。
【００４２】
ガラス板Ｄ４は、等厚矩形板状をなすもので、透光性を有し、本実施形態では地中海地方の空や海の色を連想させ使用者にリラックス感を惹起させるような青色系の色、具体的にはいわゆる地中海ブルーやコートダジュールブルーに着色してある。なお、透光性を有するとは、光を通過させるものであればよく、半透明であっても良い。そして、このガラス板Ｄ４は、前記開口部Ｄ３ａに上方から蓋設されることで、その上面Ｄ４ａが前記周囲水平壁Ｄ３１の上面Ｄ３１ａと略面一となり、それら両者で天板面Ｄａを構成している。
【００４３】
また、使用端Ｄ１ａ側の周囲水平壁Ｄ３１の下面には、その幅方向中央部において前記中間壁要素Ｄ３５の下端と略同一高さ位置に下端を設定した細幅の垂下片Ｄ３７を一体に設けており、この垂下片Ｄ３７と反使用端Ｄ１ｂ側の内壁要素Ｄ３４における幅方向中央部の下端との間に、家具本体部の開口部Ｄ３ａを前後に縦断する角柱状をなす中央桟部Ｄ３８を前記垂下片及び内壁要素Ｄ３４と一体に設けている。
【００４４】
ここで、前述した脚要素取付部たる凸部分Ｄ３６、及び脚要素Ｄ２ｆ，Ｄ２ｒについて説明する。
【００４５】
まず、凸部分Ｄ３６は、周囲水平壁Ｄ３１の下面から円筒状をなして下方に突出する筒状壁Ｄ３６１からなるものであり、その筒状壁Ｄ３６１の外周を下方に向かうほど直径が漸次小さくなるテーパ面Ｄ３６１ａとしている。なお、前記筒状壁Ｄ３６１の内周も下方に向かうほど直径が漸次小さくなるテーパ形状をなしている。しかして筒状壁Ｄ３６１の外周は、外壁要素Ｄ３３のうち屈曲又は湾曲するコーナー部分と中間壁要素Ｄ３５のコーナー部分に形成した屈曲部Ｄ３５ａ又は湾曲部Ｄ３５ｂとを接続し外壁要素Ｄ３３と略同一の高さ寸法を有する十文字形状のリブＤ３６Ｌ上に連続して形成されている。さらにこのリブＤ３６Ｌは、筒状壁Ｄ３６１の内側においても内周に連続して形成されているが、この部位においてリブＤ３６Ｌは筒状壁Ｄ３６１の外側の部位よりも周囲水平壁Ｄ３１からの高さ寸法を大きく、具体的には筒状壁Ｄ３６１の高さ寸法よりも若干小さい寸法にしている。このような、これらリブＤ３６Ｌによって脚要素取付部の補強を図っている。更に、筒状壁Ｄ３６１の後縁部側においては、その肉厚を他の部位よりも若干厚くしておき、アルミダイキャスト成形後に下方に開口するねじ孔Ｄ３６２を形成するようにしている。
他方、前後の脚要素Ｄ２ｆ（前脚要素）、Ｄ２ｒ（後脚要素）は、中空柱状をなす脚本体Ｄ２ｆ１，Ｄ２ｒ１と、この脚本体Ｄ２ｆ１，Ｄ２ｒ１の下面に取り付けたアジャスタＤ２Ａとを具備するものであり、天板部本体Ｄ３の脚要素取付部たる凸部分Ｄ３６にそれぞれ取り付けられる。脚本体Ｄ２ｆ１，Ｄ２ｒ１は、天板部本体Ｄ３同様、鋳肌を外面に表出させたアルミダイキャスト製の一体成形品である。
【００４６】
具体的に、使用縁側及び反使用縁側に配置される各一対の前脚本体Ｄ２ｆ１及び後脚本体Ｄ２ｒ１は共通の構成として、前面側及び両側面側を覆って後方に内部空間を開放させてなる脚要素の主体となる周壁Ｄ２ｆ２，Ｄ２ｒ２と、周壁Ｄ２ｆ２，Ｄ２ｒ２の内側においてその上端から若干下方位置に設けられる上壁Ｄ２ｆ３，Ｄ２ｒ３と、周壁Ｄ２ｆ２，Ｄ２ｒ２の下端に設けられる底壁Ｄ２ｆ４，Ｄ２ｒ４と、前記上壁Ｄ２ｆ３，Ｄ２ｒ３よりも低位置において上壁Ｄ２ｆ３，Ｄ２ｒ３と底壁Ｄ２ｆ４，Ｄ２ｒ４との間の内部空間を上下に区画するように周壁Ｄ２ｆ２，Ｄ２ｒ２の内面のうち後端側の一部を残して略全周に亘って設けられる板状の水平リブＤ２ｆ５，Ｄ２ｒ５と、底壁Ｄ２ｆ４，Ｄ２ｒ４及び水平リブＤ２ｆ５，Ｄ２ｒ５間に亘って内部空間を左右に区画するように設けられる板状の垂直リブＤ２ｆ６，Ｄ２ｒ６とを有している。また、前記内部空間の下端部における奥行き方向中央部やや後方寄りの位置から先端部までは中実であり、アルミダイキャスト成形後にその部位及び底壁に下方に開口してアジャスタＤ２Ａのねじ軸部Ｄ２Ａ１を取り付けるためのねじ孔Ｄ２ｆ７、Ｄ２ｒ７を形成するようにしている。また、前脚本体Ｄ２ｆ１と後脚本体Ｄ２ｒ１との異なる構成として、特に前脚本体Ｄ２ｆ１は、周壁Ｄ２ｆ２を上端から下方に向けて膨出させ、高さ方向中央部やや下寄りの部位で一旦窄めるとともに、そこから下端に向けて再度膨出させるように形成することで、その表面を凹凸するように滑らかに湾曲させて生物的な形状を連想させるよう、例えば動物の脚を模した形状に構成してある。一方、後脚本体Ｄ２ｒ１は、周壁Ｄ２ｒ２を上端から下端に向けて漸次細くなるように形成してある。また、後脚本体Ｄ２ｒ１の垂直リブＤ２ｒ６における高さ方向の異なる複数箇所（本実施形態では例えば３箇所）には、この垂直リブＤ２ｒ６を部分的に厚肉にした円筒状の背板取付部Ｄ２ｒ９を形成してあり、この背板取付部Ｄ２ｒ９に、アルミダイキャスト製の板状をなす背板Ｄ２ＣをねじＤ２Ｃａを用いて取り付けて、外観の向上を図っている。なお、背板Ｄ２Ｃの上端は、水平リブＤ２ｒ５の高さ位置に設定してあるため、水平リブＤ２ｒ５と上壁Ｄ２ｒ３との間の内部空間は後方へ開放されたままである。しかして、これら脚本体Ｄ２ｆ１，Ｄ２ｒ１には、周壁Ｄ２ｆ２，Ｄ２ｒ２の上端部と上壁Ｄ２ｆ３，Ｄ２ｒ３とによって囲繞される部位に、脚要素Ｄ２ｆ，Ｄ２ｒの天板部本体Ｄ３に対する被取付部たる凹部分Ｄ２ｆ８，Ｄ２ｒ８を形成している。この凹部分Ｄ２ｆ８，Ｄ２ｒ８の内周は、下方に向かうにつれて直径が漸次小さくなるテーパ面Ｄ２ｆ８ａ，Ｄ２ｒ８ａとなっており、具体的にはこのテーパ面Ｄ２ｆ８ａ，Ｄ２ｒ８ａが、前記凸部分Ｄ３６の外周のテーパ面Ｄ３６１ａの傾斜角度等の形状に対応している。さらに、前記上壁Ｄ２ｆ３，Ｄ２ｒ３の中心から偏位した位置であって前記凸部分Ｄ３６に形成されたねじ孔Ｄ３６２に対応する位置には、上下に貫通するねじ挿通孔Ｄ２ｆ８ｂ，Ｄ２ｒ８ｂを形成している。
【００４７】
ここで、凸部分Ｄ３６の外周におけるテーパ面Ｄ３６１ａと凹部分Ｄ２ｆ８，Ｄ２ｒ８の内周におけるテーパ面Ｄ２ｆ８ａ，Ｄ２ｒ８ａは、いずれも型抜き成形する際に必然的に生じる形状であるが、本実施形態ではこの型抜き成形により生じたテーパ形状をそのまま利用して前記凹部Ｄ２ｆ８，Ｄ２ｒ８分及び凸部分Ｄ３６をテーパ係合させてその部位を凹凸結合部Ｄｘ（図４、１５参照）とし、脚要素Ｄ２ｆ，Ｄ２ｒと天板部Ｄ１とをがたなく確実に接合した上で、脚要素Ｄ２ｆ，Ｄ２ｒの内部空間側から固定手段たるねじ部材Ｄ２Ｂを前記ねじ挿通孔Ｄ２ｆ８ｂ，Ｄ２ｒ８ｂ及びねじ孔Ｄ３６２に差し込んで、脚要素Ｄ２ｆ，Ｄ２ｒを天板部Ｄ１に固定するようにしている。
【００４８】
しかして、本実施形態におけるデスクＤは、前記天板部Ｄ３の反使用端側に配置した左右一対のスピーカユニットＤ５と、前記各スピーカユニットＤ５に対するバックキャビティ機能を発揮する左右一対をなす空気室部Ｄ５２と、これら各スピーカユニットＤ５の背面側の音波を該天板部Ｄ３の使用端側に存する人間の腹部近傍に導く左右一対をなすバックロード形の音響管Ｄ５３とを備えている。そして、この音響管Ｄ５３によって天板部Ｄ１をスピーカボックスとして機能させるとともに、スピーカユニットＤ５から発せられる音響プログラムを順次異種類のものに切り替え、或いは特定種類の音響プログラムを所定時間維持するための後記のスイッチ部並びに図示しない電源装置が協働して、音響システムを構成している。
【００４９】
スピーカユニットＤ５は、音声電流が流れるコイル（図示せず）が一体に形成された横方向に長い矩形状の振動板（図示せず）と、その振動板を挟み込むように配置される２枚の平板マグネット（図示せず）と、その振動板と平板マグネットとの間に挿入される緩衝材（図示せず）等とをサンドイッチ状に形成した横方向に細長い平面駆動型のものである。その基本的な動作原理は、振動板に一体に形成されたコイルに音声電流が流れると、そのコイルが平板マグネットの磁気の影響を受けフレミングの左手の法則に従って振動板とともに前後に振動し、その振動板の前面側と裏面側とに１８０度位相が異なる音波を放射するというものである。そして発される音波が、上下方向に比べ水平方向に強い指向性を有するようにしてある。
【００５０】
これらスピーカユニットＤ５は、前記起立壁体Ｄ３１１の各側縁部にユニット取付ブラケットＤ５１を介して取り付けてあって、その取り付けたスピーカユニットＤ５の正面軸方向が着座した使用者Ｕの頭部に向くように、それぞれが若干上向きかつあい寄る方向に向くように設定してある。ユニット取付ブラケットＤ５１は、背面側を前記起立壁体Ｄ３１１の側縁部前面から一部突出させて形成した第１ブラケット取付部Ｄ３１１ａに嵌合させ、底面を周囲水平壁Ｄ３１の上面を一部凹ませて形成した第２ブラケット取付部Ｄ３１１ｂに密接させて、下方からねじ止め固定される中空アルミダイキャスト製のものである。そして、その正面には、スピーカユニットＤ５を嵌合させる正面開口窓Ｄ５１ａを開口させる一方、底面には、前記正面開口窓Ｄ５１ａに内部空間Ｄ５１ｓを介して連通する底面開口窓Ｄ５１ｂを開口させている。なおこのユニット取付ブラケットＤ５１は、取付状態において底板の上面が天板面Ｄａと面一となるように設定してある。
【００５１】
空気室部Ｄ５２は、スピーカユニットＤ５の下方かつ前記周囲水平壁Ｄ３１の下方に位置づけたもので、空気室形成壁Ｄ５２ｗ（図８、図１０参照）により囲繞してなるものである。この空気室形成壁Ｄ５２ｗは、天板部本体３と一体にアルミダイキャスト成形してなるもので、その上壁は、第２ブラケット取付部Ｄ３１１ｂ近傍における前記周囲水平壁Ｄ３１が兼ねている。この上壁（周囲水平壁Ｄ３１）には上下に貫通する連通孔が設けてある。この連通孔は、前記ユニット取付ブラケットＤ５１の底板により外観不能に閉塞されるが、内部では、前記連通孔、ユニット取付ブラケットＤ５１の底面開口窓Ｄ５１ａ、内部空間Ｄ５１ｓ、正面開口窓Ｄ５１ｂを介して、前記空気室部Ｄ５２がスピーカユニットＤ５の背面に連通し、スピーカユニットＤ５に対するバックキャビティ機能を有するように構成してある。
【００５２】
音響管Ｄ５３は、前記空気室部Ｄ５２の正面側に基端を開口させてその内部空間を空気室部Ｄ５２に連通させる一方、天板部本体Ｄ３の使用端近傍に先端を開口させてその内部空間を外部に開放させたもので、その内部空間が音波を伝達する音路部として機能するようにしてある。またこの音響管Ｄ５３は、天板部本体Ｄ３の開口部における各側縁部下方にそれぞれ配置してあり、各音響管Ｄ５３の基端と先端との間の中央部分は、途中で側方に向かって膨らむように湾曲させてある。
【００５３】
さらに詳述するとこの音響管Ｄ５３は、アルミダイキャスト製の音響管本体Ｄ５４と、この音響管本体Ｄ５４に形成されている上部開口を閉塞する閉塞部材とを具備するものであり、その基端から所定長さの範囲において断面積が徐々に小さくなる先細り部分Ｄ５４ａと、この先細り部分Ｄ５４ａから所定長さの範囲において断面積が略一定である断面積一定部分Ｄ５４ｂと、この断面積一定部分Ｄ５４ｂから先端に至る範囲において断面積が徐々に拡大するホーン部分Ｄ５４ｃとが滑らかに連続するラッパ形状をなす。
【００５４】
音響管本体Ｄ５４は、その主要部を前記天板部本体Ｄ３と一体に成形したアルミダイキャスト製のものであり、反使用端側の内壁要素Ｄ３４と、それに対向する使用端側の内壁要素Ｄ３４との間に架け渡してある。しかしてその基端部は、前記反使用端側内壁要素Ｄ３４を分断するように空気室形成壁Ｄ５２に連続させてあり、なおかつその分断部分において前記内壁要素Ｄ３４に接合させてある。またその先端部は、前記使用端側内壁要素Ｄ３４に接合しつつその接合部分から内壁要素Ｄ３４を分断して内壁要素Ｄ３４の外方に突出し、外部空間に開口するように構成してある。さらに中央部の外側は、リブＤ３９を介して周囲立壁Ｄ３２における側方内壁要素Ｄ３４に接合してある。一方、前記先細り部分Ｄ５４ａと断面積一定部分Ｄ５４ｂとに相当する部位は、底壁部Ｄ５４１及び側壁部Ｄ５４２のみから構成して上方に開口する断面Ｕ字形状をなすようにする一方、前記ホーン部分Ｄ５４ｃに相当する部位は、逆に上壁部Ｄ５４３及び側壁部Ｄ５４２のみから構成して下面が開口する断面逆Ｕ字形状にしている。そしてこの下面開口を閉塞するように、アルミダイキャスト製のポートアダプタＤＡＤ（図６参照）を取り付けて前記ホーン部分Ｄ５４ｃを形成している。このホーン部分Ｄ５４ｃにおける上壁Ｄ５４３は、先端に進むに連れ徐々に下降するようにしてあって、ホーン部分Ｄ５４ｃが着座者Ｕの腹部に向くように設定してある。さらに、この音響管本体Ｄ５４の内面は、アルミダイキャストで成形されたその地肌をペーパー等による表面仕上げをせず、表面に凹凸の残ったざらつきがあるままにしている。なお、この音響管本体Ｄ５４の内面を、外観上の必要性に応じて削ったり塗装を施したりしてそのざらつきの度合いを変えたりするなど、任意のざらつきを与えて構成してもよい。
【００５５】
閉塞部材は、前記ガラス板Ｄ４がその役割を担う。すなわち、前記段部Ｄ３ｂの上向き面と、前記音響管本体Ｄ５４におけるＵ字形状部分の上面とは同一高さに設定してあり、ガラス板Ｄ４を前記段部Ｄ３ｂに支持させると、その下面が同時に前記音響管本体Ｄ５４におけるＵ字形状部分の上面に密着するようにしてある。なお、密封性や密着性向上等の目的から、この上面とガラス板Ｄ４下面との間に、例えば透明樹脂層を介在させるなどしてもよい。
【００５６】
音響プログラムには、波の音、風の音、せせらぎ音、街の音等の外部音を収録したものが少なくとも含まれている。
【００５７】
以上のように構成されるデスクＤにおいて、図１７に示すように音響管開口部Ｄ５３ａが使用者Ｕの腹部に向けられているので、使用者Ｕは低音域を空気振動として直接受けとり（図中Ｈ）体感的に感じ取ることとなる。すなわち、音響管Ｄ５３の先端部を腹部に向けた結果、耳のみで低音域を聴くだけでなく、腹部でも低音域を感じることとなり、非常に低音感豊かな効果を奏することとなる。さらに、同じ構成の音響管Ｄ５３を対で配置したことでその効果は倍増することとなる。
【００５８】
さらに、本実施形態では、各音響管本体Ｄ５４の外側壁部Ｄ５４２において、先細り部分Ｄ５４ａとホーン部分Ｄ５４ｃとの前後２箇所に、それぞれ発光体たる発光ダイオードＬの配置部Ｄ６を外側方に突出させて前記外側壁部Ｄ５４２と一体に形成している。この配置部Ｄ６は、前記外側壁部Ｄ５４２から直接外側方へ延びるアーム部Ｄ６１と、アーム部Ｄ６１の先端部に設けられた円筒状の挿入部Ｄ６２とを一体に有するものである。この挿入部Ｄ６２は、内壁Ｄ６２ａが下方へ向かうにつれ内径が漸次小さくなるテーパ状をなしている。これに対して、発光ダイオードＬは、樹脂製のソケット部Ｌ１、ソケット部Ｌ１の上端部に設けられる発光ダイオード本体（図示省略）及びそれを包囲して保護するガラス製又はプラスチック製のカバー部Ｌ２、ソケット部Ｌ１の下端部から延びる配線部Ｌ３からなる一般的な発光ダイオードＬであり、本実施形態では透明のカバー部Ｌ２を有し、白色の光を発するものを採用している。このような発光ダイオードＬは、上方から前記挿入部Ｄ６２に挿入することでソケット部Ｌ１を部材の弾性変形によって前記挿入部Ｄ６２の内壁に嵌合させた状態で着脱可能に取り付けられる。すなわち本実施形態において発光ダイオードＬは、天板部本体Ｄ３の矩形の開口部Ｄ３ａにおける隅部に合計４つ配置されることになる。
【００５９】
また、発光ダイオードＬの配線部Ｌ３を案内させるために、前記音響管本体Ｄ５４に配線案内路Ｄ６３を形成している。この配線案内路Ｄ６３は、音響管本体Ｄ５４のうち先細り部分Ｄ５４ａと断面積一定部分Ｄ５４ｂとに該当する外側壁部Ｄ５４２の下端をさらに下方へリブ状に延長させて外側壁部と一体に形成した外側垂下片Ｄ６３１と、底壁部Ｄ５４１における外側端部寄りの位置に前記外側垂下片Ｄ６３１に沿ってリブ状に延びるように底壁部Ｄ５４１に形成した内側垂下片Ｄ６３２と、底壁部Ｄ５４１の一部とから構成され、下方へ開口して前後に延びる断面Ｕ字状をなしている。
【００６０】
一方、天板部本体Ｄ３の内部空間ＤＳにおいて、前記中央桟部Ｄ３８によって区画された左側の空間と右側の空間とには、前記スピーカユニットＤ５に音源を供給するＣＤユニットＤ７と、このデスクＤの前面側に出し入れして使用される引出しＤ８とがそれぞれ配置される。これらを具体的に説明すると、左側の空間にＣＤユニットＤ７が設けられる。そのために音響管本体Ｄ５４の断面積一定部分Ｄ５４ｂに該当する内側壁部Ｄ５４３における前後２箇所に、先端部にねじ孔Ｄ７２ａを有する舌片部Ｄ７２を形成するとともに、この舌片部Ｄ７２と対向位置にある中央桟部Ｄ３８の部位にもねじ孔Ｄ３８ａを形成し、これら前後左右の４箇所のねじ孔Ｄ７２ａ、Ｄ３８ａに前記ＣＤユニットＤ７をねじ止めにより取り付けるようにしている。一方、右側の空間には引出しＤ８が設けられる。その引出しＤ８を出し入れ可能に支持するためのレールＤ８１を取り付けるための構成として、右側の音響管本体Ｄ５４の断面積一定部分Ｄ５４ｂに該当する内側壁部Ｄ５４３における前後２箇所に、先端部にねじ孔Ｄ８２ａを有する舌片部Ｄ８２を形成するとともに、この舌片部Ｄ８２と対向位置にある中央桟部Ｄ３８の部位にもねじ孔Ｄ３８ｂを形成し、このねじ孔に前記レールＤ８１をねじ止めにより取り付けた上で、引出しＤ８をレールＤ８１に保持させている。なお、ＣＤユニットＤ７を支持する舌片部Ｄ７２と引出しＤ８を支持する舌片部Ｄ８２は、共に該当する内側壁部Ｄ５４３と一体に形成されており、相互に前後位置を違えて設けられている。
【００６１】
しかして、ＣＤユニットＤ７の背面側からは、左右一対のスピーカユニットＤ５へ延びる配線（図示省略）と、４つの発光ダイオードＬの配線部Ｌ３とが接続されている。特に発光ダイオードＬの配線部Ｌ３は、音響管本体Ｄ５４に形成された配線案内路Ｄ６３を経て各挿入部Ｄ６２へと延ばされている。また、本実施形態においてＣＤユニットＤ７の前面側に設けられた操作部Ｄ７１は、ＣＤの選曲や音量を調節する機能のみならず、発光ダイオードＬを点灯又は消灯させる操作部Ｄ７１としての機能も兼ね備えている。すなわち、ＣＤユニットＤ７の電源を投入すると発光ダイオードＬが発光する一方、ＣＤユニットＤ７の電源を切ると発光ダイオードＬが消灯するようになっている。発光ダイオードＬ、その操作部Ｄ７１及び図示しない電源部は、照明機構を構成している。
【００６２】
本実施形態のデスクＤは、以上説明した構成からなるものであり、その拠り所とした基本的コンセプトは、定位置空間たるオフィス空間ＯＳ内に存する人間にハイテンション感覚を与えるための緊張感惹起手段と、前記オフィス空間ＯＳに存する人間にリラックス感覚を与えるためのリラックス感惹起手段とにより、知的活動空間を構成しようとするものであり、これらハイテンション感覚とリラックス感覚とにより作り出されるリズムを、オフィス空間ＯＳに存する人間に対して継続的に惹起させようとするものである。
【００６３】
具体的には、本実施形態において緊張感惹起手段として採用した構成要素には、天板部Ｄ１の素材及び形状、天板部Ｄ１の内部空間ＤＳに設けた発光ダイオードＬを主体とする照明機構、天板部Ｄ１の内部空間ＤＳに仕込んだメカニカル造形物である音響管Ｄ５３及び音響システム、前脚本体Ｄ２ｆ１及び後脚本体Ｄ２ｒ１の素材などを挙げることができる。
【００６４】
天板部Ｄ１は、前述したとおり周囲水平壁Ｄ３１、周囲立壁Ｄ３２を含みアルミダイキャストにより厚みのあるボックス状に一体成形され、その鋳肌部分を外部に表出させたものである。アルミは金属であり、金属の地肌の有する視覚的あるいは触覚上の堅牢さ、未来感が、人間の神経を過敏に刺激するため、この地肌がボックス状の形態と相まって、天板部Ｄ１の近傍の定位置に存する人間にハイテンション状態を引き起こす緊張感惹起手段としての役割を担い得る。しかも、アルミは鉄等に比べれば比較的柔らかく、暖かさを伴うため、ピリピリした緊張感ではなく、心地よさの中に感じられる適度な緊張感を惹起させることができる。すなわち、レーシングテクノロジーに育まれたアルミダイキャストは、レーシングエンジンはもちろんのこと、シャーシーからホイールに至るまで、最重要素材として使用されているが、本実施形態ではデスクＤの主要部をなすアルミダイキャスト製の部分、すなわち天板部本体Ｄ３及び脚本体Ｄ２ｆ１、Ｄ２ｒ１は、デスクＤ全体の過半部を占めており、その鋳肌を外面に表出させているため、本物感に溢れた印象を看者に与えることが可能になる。そのため、このデスクによって、天板部Ｄ１の近傍の定位置に存するものに高質感をもたらすことになり、スタッフのやる気と集中を引き出す効果的な緊張感惹起手段となり得る。
【００６５】
照明機構は、前述したとおり天板部本体Ｄ３の内部空間ＤＳに配した発光ダイオードＬと、この発光ダイオードＬに電力を供給する電源装置たる操作部Ｄ７１とを備え、この操作部Ｄ７１に発光ダイオードＬへの給電状態を切り替える図示しないスイッチ部を設けた構成からなる。この操作部Ｄ７１を切り替えて発光ダイオードＬを点灯又は消灯させるとき、視野空間の定常状態が壊され、このときの変化はビビッドに天板部Ｄ１近傍の定位置に存する者の心や頭脳に働いてこれらを活性化するため、このようなビビッドな変化の中にいる者にヒントを得、修正し、発想する力を誘発させることができ、スイッチングを伴う照明機構は緊張感惹起手段としての役割を担い得る。
【００６６】
メカニカル造形物には、前述した天板部Ｄ１をスピーカボックスとして機能させるための音響管Ｄ５３が該当する。音響管Ｄ５３は、導波管としての機能を営むためにうねったラッパ状の形態をなしており、メカニカルでスタイリッシュな機能美に溢れ、自然のナチュラルな美しさとハイテクの未来的美しさがハーモナイズされて快い集中と高揚感を引き起こすため、緊張感惹起手段としての役割を担い得る。
【００６７】
音響システムは、前述したとおり天板部Ｄ１の内部空間ＤＳにスピーカユニットＤ５を設けて、このスピーカユニットＤ５から発せられる音響プログラムを順次異種類のものに切り替えることができるようにしたものであり、プログラムの切り替え時に、定常的に変化を持ち込んで、天板部Ｄ１の近傍に位置する人間の心や頭脳にビビッドに働いてこれらを活性化するため、自発的創作活動に必要な停滞のない緊張感を惹起させる緊張感惹起手段として機能させることができる。
【００６８】
また、この音響システムは、スピーカユニットＤ５の裏側の音を定位置に存する人間の腹部近傍に導くためのバックロード形の音響管Ｄ５３を備えているが、腹部に特に低音が響けば、緊張感が刺激され、心地よいハイテンション状態に導けるため、音響管Ｄ５３も緊張感惹起手段の一つとして機能し得る。
【００６９】
前脚本体Ｄ２ｆ１と後脚本体Ｄ２ｒ１とは、前述したとおり、アルミダイキャストによって一体成形され、鋳肌を外面に表出させたものであるため、上記天板部本体Ｄ３と同様に緊張感惹起手段として機能し得る。
【００７０】
これに対して、本実施形態においてリラックス感惹起手段として採用した構成要素には、天板部Ｄ１の造形部分、照明機構、ガラス板Ｄ４、音響システム、前脚本体Ｄ２ｆ１の形状などを挙げることができる。
【００７１】
天板部Ｄ１は、前述したように、その周縁部の一つである使用端Ｄ１ａに、特にこのデスクＤを横方向に隣接させた際に顕著に波形状を呈する曲線部分を造形したものである。このような造形は人間に自然界、自然美を感じさせ、これにより人間を自然に回帰させ、自然界の摂理に近づけさせるとともに、周辺環境を自然によって包み込むことで定位置に存する者に気持ちの良い安らぎの感覚を覚えさせることができるため、かかる造形は本発明のリラックス感惹起手段としての機能を営み得る。特に、波の形態は生命誕生の起源である海への回帰を連想させるため、具体的かつ直接的に人間の感性に訴え得るものである。
【００７２】
照明機構は、上記のように緊張感惹起手段を構成するものではあるが、同時にリラックス感惹起手段としての機能をも持ち併せる。光も、点灯状態が維持されれば光の持つ本来の暖かさにより人間に生理的な安定をもたらすため、リラックス感を惹起させて集中力を高める精神的土壌を形成する上で奏功する。消灯状態が持続する場合にもこれに準じた事が言える。
【００７３】
ガラス板Ｄ４は、前述したように青系統のものであり、川や海、空を連想させて開放的な雰囲気を醸成する上に、生理的、心理的にも、精神を沈静化、安定化させる作用、集中力を促進させる作用なども営むため、リラックス感惹起手段として機能し得る。特に、青系統の色に、地中海ブルー又はコードダジュールブルーを採用すると、世界的に有名なリゾート地の開放感あふれる雰囲気を醸し出すことができるため、リラックス感惹起手段としての機能はより高められるものとなる。
【００７４】
音響システムは、上記のように緊張感惹起手段を構成するものではあるが、リラックス感惹起手段としての機能をも持ち併せる。一定の音響プログラムが持続すれば、音楽そのものの持つ本来の暖かさにより人間に生理的な安定をもたらすため、リラックス感を惹起させて集中力を高める精神的土壌を形成する上で奏功するからである。
【００７５】
特に、音響プログラムに、波の音、風の音、せせらぎ音、街の音等の外部音収録したものが含まれており、天板部近傍の定位置に居ながらにして戸外の自然を探索したかのようにその雰囲気を存分に味わうことができるため、リラックス感惹起手段としての機能はより高められるものとなる。
【００７６】
前脚本体Ｄ２ｆ１は、動物の脚を模した造形部分を有しているため、上記天板部本体Ｄ３の波形状と同様にリラックス感惹起手段となり得る。
【００７７】
本実施形態の知的活動空間構成設備は、以上説明した緊張感惹起手段及びリラックス感惹起手段を具備してなるものである。
【００７８】
従って、デスクＤに就いた状態で、目線の移動に応じて、波形状をなす天板部Ｄ１の使用端Ｄ１ａからリラックス感を惹起され、アルミダイキャストの鋳肌から緊張感を惹起され、青系統のガラス板Ｄ４からリラックス感を惹起され、その中に透けて見えるメカニカル造形物たる音響管Ｄ５３から緊張感を惹起され、また天板部Ｄ１から少し離れれば、脚の形態や素材によってリラックス感や緊張感を惹起されるといった具合に、オフィス空間ＯＳに存する者がハイテンション状態とリラックス状態とを交互にリズミカルに引き出されるようになる。このような作用は、利用者が意図的に一定の操作を行った場合も同様で、照明機構の操作部Ｄ７１を操作して発光ダイオードＬを明滅させた際に緊張感が惹起され、その後に点灯状態や消灯状態が維持された際にリラックス感が惹起され、音楽プログラムをＯＮ・ＯＦＦした際に又は他種類のプログラムを切替えをした際に、緊張感が惹起され、その後に特定の音楽プログラムが継続して持続している際にリラックス感が惹起されるといった具合に、自らをハイテンション状態とリラックス状態とに交互にリズミカルに引き込むことができる。
【００７９】
そして、このような緊張感とリラックス感とを定位置に存する人間に対して継続的に波のようにリズミカルに惹起させれば、やすらぎの中での集中力アップ、これによる知的生産性の向上を効果的に誘発することができ、オフィス空間においては「知的集約力と創造性」をバックアップするための天板付き家具として極めて有用なものになると同時に、ホームにおける書斎や家事室に適用した場合にも、家庭にクリエイティブな執務空間を有効に構築することが可能となる。緊張感は自らが舞台の主役となって物語を創っていくような感覚、或いは自らを鼓舞し、目的達成のためにチャレンジしていく感覚を伴う。
【００８０】
特に、天板部Ｄ１で執務を行う場合等は、利用者が定位置において継続的に天板部Ｄ１と対面するので、このようなリズムを継続的に惹起させ易いものとなる。
【００８１】
勿論、不規則で断続的な刺激によっても、上記に準じた効果が得られる。
【００８２】
２、椅子Ｉ
図１８から図２４を用いて、椅子Ｉについて説明する。
【００８３】
椅子Ｉは、図１８に示すように、座部シェルＩ１１と、この座部シェルＩ１１の後縁から上方に立ち上がる背部シェルＩ１２とからなるシェルＩ１と、一端部Ｉ２1をこの背部シェルＩ１２に支持させると共に他端部Ｉ２2を前記座部シェルＩ１１に支持させた肘掛け部Ｉ２とを具備する肘掛け付き椅子Ｉである。そして、前記シェルＩ１の前面にクッション部Ｉ３を取り付けて着座面及び背もたれ面を形成すると共に、この座部シェルＩ１１の下方に図示しない昇降機構を介在させた状態で脚部Ｉ５を取り付けて椅子Ｉを構成している。以下、具体的構成について詳述する。
【００８４】
シェル１は、図１９、図２０に示すように、座部シェルＩ１１と背部シェルＩ１２とからなる側面視Ｌ字形状のものであり、アルミダイキャストにより後述する肘掛け部Ｉ２と共に一体的に成形されている。また、厚みをゲートは５ミリ、全体的な厚みは略３ミリ以下としており、その周縁部には、起立壁Ｉ１1を設けて後述するクッション部Ｉ３を挟持できる形状を成している。
【００８５】
座部シェルＩ１１は、座部クッション部Ｉ３１を取り付けて椅子Ｉの着座部を形成するものであり、図１９に示すように、背部シェルＩ１２側の後方を前方に比して僅かに幅狭な平面形状として構成されている。また、図１９、図２４に示すように、その中央部には、下向きに開口する凹み部を設けて脚取付部Ｉ１１１を構成している。この脚取付部Ｉ１１１は、前後一対の脚取付孔Ｉ１１１ａを有しており、脚部Ｉ５を座受けＩ４を介して座部シェルＩ１１下面にネジ止めして固定できるようにしている。
【００８６】
背部シェルＩ１２は、図１８、図２２に示すように、座部シェルＩ１１の後縁から連続して立ち上がる状態に形成され、背部クッションＩ３２と共に背もたれを構成するものである。この背部シェルＩ１２は、正面視において上方よりも下方を幅狭な形状とすることで、座部シェルＩ１１近傍に内側へのくびれ部Ｉ１２1を形成すると共に、この背部シェルＩ１２の強度を増すための補強用リブＩ１２2と、前記背部クッションＩ３２を取り付けるためのクッション取付フックＩ１２１及びクッション取付孔Ｉ１２２とを具備している。
【００８７】
この補強用リブＩ１２2は、背部シェルＩ１２の周縁に沿って内側に設けられており、前面に突出し後面を凹ませた状態で座部シェルＩ１１近傍まで連なる正面視逆Ｕ字状の帯状を成している。
【００８８】
クッション取付フックＩ１２１は、図１９、図２４に示すように、背部シェルＩ１２の前面上方位置に複数個設けられており、図２２に示す背部シェルＩ１２の型抜き方向Ｘに沿った突出形状を成すように一体成形された基台部Ｉ１２１ａと、この基台部Ｉ１２１ａにねじ込んで取り付けられる側面視下向きＬ字形状のフックＩ１２ｂとから構成されている。また、クッション取付孔Ｉ１２２は、図１９、図２４に示すように、背部シェルＩ１２の前面下方に複数個設けられており、背部シェルＩ１２の型抜き方向Ｘに沿った突出形状を成すように一体成形されたものである。
【００８９】
左右一対の肘掛け部Ｉ２は、図２１、図２２に示すように、アルミを材質として前記シェルＩ１と共に鋳型により一体に形成されたもので、一端部Ｉ２1をこの背部シェルＩ１２に支持させると共に他端部Ｉ２2を前記座部シェルＩ１１に支持させた構成としている。そして、背部シェルＩ１２のくびれ部Ｉ１２1及び座部シェルＩ１１後方の幅狭な位置であって、且つシェルＩ１の左右両側面部よりも外側に位置するように設けられており、図２３に示すシェル１等の型抜き方向Ｘ・Ｙに対して干渉しない位置関係に形成されるものである。また、この肘掛け部Ｉ２は、側面視逆Ｌ字形状を成しており、座部シェルＩ１１の側面を基端として連続して起立する支桿部Ｉ２１と、この支桿部Ｉ２１から連続して形成され背部シェルＩ１２の側面に連続する肘当て部Ｉ２２とから構成されている。更に、この肘掛け部Ｉ２は、その支桿部Ｉ２１の裏面及び肘当て部Ｉ２２の裏面位置に連続した湾曲形状に凹んだ中空部Ｉ２3を有している。また、この中空部Ｉ２3は型抜き方向Ｙに対して干渉しない形状を成している。
【００９０】
ここで、前記座部シェルＩ１１、背部シェルＩ１２及び肘掛け部２をアルミダイキャストにより一体成形する方法について説明すると、型抜き方向を図２３に示すＸ・Ｙとする母型を用いて、略４５度の型割により成形している。また、そのパーティングラインを主にシェルＩ１の前後面の境目及び肘掛け部２の表裏面の境目として型割している。尚、型割り後、鋳肌を磨いてパーティングラインのバリを削り取り、磨いた箇所とその他の箇所の質感及び外観を同等にすべく、全体に磨きをかけても良い。また、外観を更に向上させるべく、メタリック塗装を施すこともある。このメタリック塗装の色及び厚み等は、アルミダイキャスト製品の重厚感や本物感を有効に醸し出す程度に薄く施される。
【００９１】
クッション部Ｉ３は、着座面を形成する座部クッションＩ３１と、この座部クッションＩ３１と相互に別体品にて構成され、背もたれ面を形成する背部クッションＩ３２とから構成されている。
【００９２】
この座部クッションＩ３１は、発泡ウレタン等のクッション材Ｉ３１１を主として、その表面及び裏面周縁部に革を材料とする上張り地Ｉ３１２を被着している。そして、その裏面には、図２４に示すように、座部シェルＩ１１に取り付けるための取付板Ｉ３１３を設けている。
【００９３】
この取付板Ｉ３１３は、樹脂等にて座部シェルＩ１１の内周面形状に沿う形に成形されており、図１９に示すように、前記座部シェルＩ１１に設けた脚取付孔Ｉ１１１ａに対応する位置に前後一対の取付孔Ｉ３１３ａを有し、座部クッションＩ３１を前記座部シェルＩ１１に対してネジ止めにより固定できるようにしている。
【００９４】
背部クッションＩ３２は、前記座部クッションＩ３１と同様に、発泡ウレタン等のクッション材Ｉ３２１と、その表面及び裏面周縁部を覆う革を材質とする上張り地Ｉ３２２と、その裏面に取り付けられる取付板Ｉ３２３とから構成されている。
【００９５】
この取付板Ｉ３２３は、樹脂にて背部シェルＩ１２の内周面形状に沿う形に成形されており、図１９に示すように、上方位置に設けた前記背部シェルＩ１２のクッション取付フックＩ１２１に対応する上取付孔Ｉ３２３ａと、下端部近傍位置に設けた前記背部シェルＩ１２の有するクッション取付孔Ｉ１２２に対応する下取付孔Ｉ３２３ｂとを具備している。また、この下取付孔Ｉ３２３ｂは、クッション材Ｉ３２１を抜けて上張り地Ｉ３２２の表面まで貫通している。そして、クッション取付フックＩ１２１に上取付孔Ｉ３２３ａを引っかけた後に、背部シェルＩ１２のクッション取付孔Ｉ１２２と下取付孔Ｉ３２３ｂを介して、背部クッションＩ３２を背部シェルＩ１２にネジ止めして固定できるようにしている。尚、下取付孔Ｉ３２３ｂは、背部クッション３２を背部シェルＩ１２に取り付けた状態で座部クッションＩ３１により隠蔽される位置に設けられている。
【００９６】
図示しない昇降機構は、座部シェルＩ１１と脚部Ｉ５との間の座受けＩ４内に設けられており、レバー操作に伴って座面を昇降可能とするものである。この座受けＩ４の上方には、図２４に示すように、取付孔を設けた取付板Ｉ４ａが設けられている。そして、この取付板Ｉ４ａを前記座部シェルＩ１１の下面に設けた脚取付部Ｉ１１１の凹み部に嵌め合わせて位置決めした後、この取付板Ｉ４ａ、座部シェルＩ１１及び座部クッションＩ３１を下方より一体にネジ止めして固定している。
【００９７】
脚部Ｉ５は、図２４に示すように、脚羽根Ｉ５１１を放射状に突設したベースＩ５１と、このベースＩ５１の中心に立設した脚支柱Ｉ５２と、各脚羽根Ｉ５１１に取り付けたキャスタＩ５３とから構成されている。脚羽根Ｉ５１１は、上縁に自然界に存在する形態の一つである波形状を模した自然回帰タイプの造形部分を施したものであり、下方には図示しない補強用リブが設けられている。また、この脚羽根Ｉ５１１を有するベースＩ５１は、アルミダイキャストにより一体に成形されている。
【００９８】
この椅子Ｉにおいても、一部の構成要素をオフィス空間ＯＳに存する人間にハイテンション感覚を与えるための緊張感惹起手段として機能させ、他の一部の構成要素を定位置に存する人間にリラックス感覚を与えるためのリラックス感惹起手段として機能させて、これらハイテンション感覚とリラックス感覚とにより作り出されるリズムを、オフィス空間ＯＳに存する人間に対して継続的に惹起させることができるものである。
【００９９】
すなわち、この椅子Ｃにおける緊張感惹起手段は、上記デスクＤと同様、アルミダイキャスト製のシェル１のうち外面に表出した鋳肌部分であり、リラックス感惹起手段は、脚羽根Ｉ５１１の上縁に造形した波形状をなす部分、或いは卵などを連想させる丸みを帯びたシェル１の曲面部分である。そして、ダイキャストの鋳肌部分によって、張りぼて的ではない本物感を醸成して、周囲に存する者に対してやる気と集中を効果的に引き出すことができるものであり、また、脚羽根Ｉ５１１の波形状やシェル１の卵形状のような自然回帰形の造形部分が、人間に自然界、自然美を感じさせ、これにより人間を自然に回帰させるため、自然によって包み込まれたときの気持ち良い安らぎの感覚を周辺に居る者に与えることができるものである。
【０１００】
３、収納家具Ｃ
図２５から図３２を用いて、収納家具Ｃについて説明する。
【０１０１】
収納家具Ｃは、図２５に示すように、内部に収納空間ＣＳを有する収納家具本体Ｃ１と、前記収納家具本体Ｃ１の前面開口部Ｃ１ａに両開き可能に設けた左右一対の扉Ｃ２とを具備している。
【０１０２】
そして、本実施の形態では、図２５及び図２６に示すように、平面視略Ｌ字形をなす左右の構造体たる側背構造体Ｃ３を突き合わせて平面視略コ字形に接合することにより前記収納家具本体１の側面及び背面を囲う周壁Ｃ１ｂを形成し、その上端部側に天板Ｃ４を、下端部側に底板Ｃ５を取り付けるとともに、前記収納空間ＣＳ内に選択的に棚板Ｃ６を取り付けて前記収納家具本体Ｃ１を構成している。
【０１０３】
以下、各部の具体的な構成について説明する。
【０１０４】
扉Ｃ２は、図２５、図２７及び図３０に示すように、その外縁部Ｃ２ａを前記前面開口部Ｃ１ａの開口側縁部に蝶番部材Ｃｈを介して開閉可能に取り付けてあり、前面の上端部側に把手Ｃ２１を有している。また、この扉Ｃ２は、ガラス等の透光性を有する素材により形成してあり、特に本実施の形態では、地中海ブルー等の海や空を連想させるような青色系のガラス板により構成している。なお、図面中では、この扉Ｃ２は、透光性を有しない内部が視認できないものとして図示している。さらに、図２６は、蝶番部材Ｃｈ及び扉Ｃ２を取り付ける前の図とし、これら蝶番部材Ｃｈ及び扉Ｃ２を省略している。
【０１０５】
側背構造体Ｃ３は、図２６に示すように、互いに略直交する第１の面板部たる側板部Ｃ７と第２の面板部たる背板部Ｃ８とを一体にアルミダイキャストにより成形し、鋳肌を外面に表出させてなるものである。本実施の形態では、左右対称形状をなしている左右一対の側背構造体Ｃ３を備えており、これら両側背構造体Ｃ３の背板部Ｃ８同士を突き合わせて前記収納家具本体Ｃ１の周壁Ｃ１ｂを構成している。
【０１０６】
側板部Ｃ７は、図２７、図２８、図３０及び図３１に示すように、鉛直方向に略沿って位置する起立壁Ｃ７１と、この起立壁Ｃ７１の上下縁部からそれぞれ略９０度屈曲させて水平方向に略沿って延出している上壁Ｃ７２及び底壁Ｃ７３と、前記起立壁Ｃ７１の前縁部から略９０度屈曲させて延出した前壁Ｃ７８とから構成されている。前記起立壁Ｃ７１には、前後方向に並列的に設けた複数の側面視略矩形状の開口Ｃ７４が設けてあるとともに、その内面側において上下方向に沿った複数箇所に前記棚板Ｃ６を保持するための突起部Ｃ７５が一体に突出してある。前記突起部Ｃ７５は、前記起立壁Ｃ７１の内面側において前後端部から突出した正面視略凸形状をなすものである。また、前記底壁Ｃ７３には、一体に下方に突出した前後一対の脚Ｃ７６が設けてあり、使用時、これら脚Ｃ７６には、高さ調整用のアジャスタＣａが取り付けられる。なお、前記側背構造体Ｃ３は、製造時に共通の型を使用することにより、図３２に示すように、上端部Ｃ９ａと下端部Ｃ９ｂとにそれぞれ脚Ｃ９１、Ｃ９２を有する少なくとも２体の中間構造体Ｃ９1、Ｃ９2を成形し、一方の中間構造体Ｃ９1の上端部Ｃ９ａに存在する脚Ｃ９１を切除して左右何れか一方の側背構造体Ｃ３を得るとともに、他方の中間構造体Ｃ９2の下端部Ｃ９ｂに存在する脚Ｃ９２を切除して上下反転させることによって他方の側背構造体３を得るようにしている。その際に、本実施の形態では、前記一方の中間構造体Ｃ９1の上端部Ｃ９ａに存在する脚Ｃ９１及び他方の中間構造体Ｃ９2の下端部Ｃ９ｂに存在する脚Ｃ９２のそれぞれの基端部Ｃ９１ａ、Ｃ９２ａを残した状態で先端部Ｃ９１ｂ、Ｃ９２ｂ側のみを切除し、前記基端部Ｃ９１ａ、Ｃ９２ａ側を天板Ｃ４を取り付ける際の天板支持部Ｃ７７として利用するようにしている。なお、前記一方の中間構造体Ｃ９1の下端部Ｃ９ｂに存在する脚Ｃ９２及び他方の中間構造体Ｃ９2の上端部Ｃ９ａに存在する脚Ｃ９１は、側背構造体Ｃ３の脚Ｃ７６として利用される。
【０１０７】
背板部Ｃ８は、図２６、図２８及び図２９に示すように、鉛直方向に略沿って起立するもので、その後面側において上下方向に並列的に設けた複数のリブＣ８１を有しており、これらリブＣ８１は、左右の側背構造体Ｃ３を付き合わせた場合に背面視略菱形状をなす。さらに、この背板部Ｃ８は、その後面側において、上下方向２箇所に左右の側背構造体Ｃ３を突き合わせて接合する場合にネジ等の取付具Ｃｔ１を保持するための筒状の取付具保持部Ｃ８２を有している。この取付具保持部Ｃ８２は、具体的には、水平方向に略沿った孔部Ｃ８２ａを有するもので、前記左右の側背構造体Ｃ３を突き合わせた場合に、それぞれの側背構造体Ｃ３に設けた該取付具保持部Ｃ８２同士が連続した筒状をなす。
【０１０８】
天板Ｃ４は、アルミダイキャストにより成形され、鋳肌を外面に表出させたもので、図２５及び図２６に示すように、平面視略矩形状で前縁部側を略部分円弧状に切り欠いた形状をなしている。この天板Ｃ４は、図３０及び図３１に示すように、前記側板部Ｃ７の上壁Ｃ７２から突出した前記天板支持部Ｃ７７に対応する位置に、下方に開口する凹部Ｃ４１を有している。しかして、前記側背構造体Ｃ３の上面に取り付ける際には、前記凹部Ｃ４１を前記天板支持部Ｃ７７に上方から嵌め合わせ、前記側板部Ｃ７の上壁Ｃ７２に設けた挿通孔Ｃ７２ａを介して下方から挿入したネジ等の取付具Ｃｔ２を対応位置に設けたネジ孔Ｃ４２にネジ作用を利用して嵌め合わせて固定する。
【０１０９】
底板Ｃ５は、アルミダイキャストにより成形され、鋳肌を外面に表出させたもので、図２６に示すように、平面視略矩形状で、面板部Ｃ５１に前後方向に並列的に設けた複数の平面視略矩形状の開口Ｃ５２を有している。この底板Ｃ５は、前記側背構造体Ｃ３の側板部Ｃ7の起立壁Ｃ７１に設けた挿通孔Ｃ７１ａを介して外方から挿入したネジ等の取付具Ｃｔ３を、その左右側面部Ｃ５３の対応位置に設けたネジ孔Ｃ５４にネジ作用を利用して嵌めることにより前記側背構造体３に取り付けられる。
【０１１０】
棚板Ｃ６は、図２６に示すように、前記底板Ｃ５と同様の構成を有するものであるため、同一の構成を有する部分には同一の符号を付して、具体的な構成説明を省略するものである。この棚板Ｃ６は、前記背側構造体Ｃ３の側板部Ｃ７の内面側に設けた前記突起部Ｃ７５上に載せ置かれて取り付けられる。
【０１１１】
以上詳述した収納家具Ｃにおいて、緊張感惹起手段としては、当該収納家具Ｃの表面にアルミダイキャストの鋳肌を表出させた構成が挙げられる。すなわち、この収納家具Ｃは、側背構造体Ｃ３がアルミダイキャストによる一体成形品であり、天板Ｃ４及び底板Ｃ５もアルミダイキャスト製のものであって、その鋳肌を外面に表出させている。このように、収納家具Ｃの外観に現れる部分の過半部にアルミダイキャストの鋳肌を表出させることで、張りぼて的ではない本物感を醸成でき、周囲に存する者に高質感をもたらす点において、前述したデスクＤと同様であり、スタッフのやる気と集中を効果的に引き出すことができるものである。
【０１１２】
また、リラックス感惹起手段としては、扉Ｃ２を構成する青系色のガラス板Ｄ４を採用している。青系色のガラス板は、前述したデスクＤのガラス板Ｄ４と同様、人間の生理や心理に働いて、精神を沈静化、安定化させ、リラックス状態を引き出す効果を伴うものである。なお、この収納家具Ｃを複数隣接配置すると、天板Ｃ４の前端が連続した波形状をなし、リラックス感惹起手段として機能することになる。
【０１１３】
そして、これら緊張感惹起手段及びリラックス感惹起手段を通じ、オフィス空間ＯＳに存する人間に継続的にハイテンション感覚とリラックス感覚とにより作り出されるリズムを惹起させることにより、やすらぎの中での集中力アップ、これによる知的生産性の向上を効果的に誘発することができ、オフィス空間においては「知的集約力と創造性」をバックアップするための知的活動空間構成設備として極めて有用なものになると同時に、ホームにおける書斎や家事室に適用した場合にも、家庭にクリエイティブな執務空間を有効に構築することが可能となる。
４．テーブルＴ
テーブルＴについて、図３３から図４１を用いて説明する。
【０１１４】
テーブルＴは、会議の際に複数人に使用されるものであって、天板部Ｔ１と、この天板部Ｔ１に直接取り付けて天板部Ｔを直接支持する脚要素Ｔ２とを具備してなる。天板部Ｔ１はさらに、天板部本体Ｔ３と、この天板部本体Ｔ３の空洞部たる内部空間ＴＳを閉止すべくその開口部Ｔ３８に蓋設した蓋体部たるガラス板Ｔ４とを備えたボックス状をなすものである。
【０１１５】
天板部本体Ｔ３は、天板面Ｔａの周縁部を形成する周囲水平壁Ｔ３１と、この周囲水平壁Ｔ３１の下面から垂下させた周囲立壁Ｔ３２とを有し、これらをアルミダイキャストにより一体成形し、鋳肌を外面に表出させたものである。これら周囲水平壁Ｔ３１と周囲立壁Ｔ３２とは、中央部を上下に貫通させて内部空間ＴＳを包囲する深みのあるボックス状の枠構造をなしており、天板部本体Ｔ３の上端に内部空間ＴＳを開放するための開口部Ｔ３８が形成されるようにしている。また、周囲立壁Ｔ３２の前後方向及び左右方向に架け渡した補強桟Ｔ３４、Ｔ３５を設けている。
【０１１６】
周囲水平壁Ｔ３１は、ガラス板Ｔ４の外周部分に位置してガラス板Ｔ４の上面Ｔ４ａとともに天板面Ｔａを構成する天板外周面Ｔ３１ａを備えてなるものである。
【０１１７】
周囲立壁Ｔ３２は、外壁要素Ｔ３２１と内壁要素Ｔ３２２とからなる２重壁構造をなし、天板部本体Ｔ３に剛性を与えている。外壁要素Ｔ３２１は、天板部本体Ｔ３の周縁に沿って下方に垂下させたもので、天板部Ｔ１の周縁部分に強度を付与するようにしたものである。内壁要素Ｔ３２２は、前記外壁要素Ｔ３２１の略３倍の周囲水平壁Ｔ３１からの高さ寸法を有するように設けて、該内壁要素Ｔ３２２で囲まれた内部空間ＴＳが深みを有する空間となるようにしたものである。また、内壁要素Ｔ３２２の４つのコーナー部分は、部分円弧状に湾曲させており、このコーナー部分と周囲水平壁Ｔ３１のコーナー部分との間には、周囲水平壁Ｔ３２よりもガラス板Ｔ４の下面よりも若干低い位置にあるコーナー水平壁Ｔ３１１を形成している。また、このコーナー水平壁Ｔ３１１の下面には、それぞれ天板部本体Ｔ３と一体をなし下方に突出する概略円筒状の脚要素取付部たる凸部分Ｔ３７を形成している。
【０１１８】
ここで、この凸部分Ｔ３７の構成について具体的に説明する。この凸部分Ｔ３７は、図４０に示すように、周囲水平壁Ｔ３１の下面から円筒状をなして下方に突出する筒状壁Ｔ３７１からなるものであり、その筒状壁Ｔ３７１の外周を下方に向かうほど直径が漸次小さくなるテーパ面Ｔ３７１ａとしている。なお、前記筒状壁Ｔ３７１の内部は上方に開放されており、その内周Ｔ３７１ｂも下方に向かうほど直径が漸次小さくなるテーパ形状をなしている。しかして筒状壁Ｔ３７１の内周Ｔ３７１ｂには、十文字形状のリブＴ３７１ｃが筒状壁Ｔ３７１に連続して形成されており、これによって筒状壁Ｔ３７１の剛性を高めている。なお、このリブＴ３７１ｃの下端は、筒状壁Ｔ３７１の下端よりも若干高位置に設定されている。更に、筒状壁Ｔ３７１のうち十文字形状のリブＴ３７１ｃの一方を挟む対角位置において、その肉厚を他の部位よりも若干厚くしてあり、その部位にアルミダイキャスト成形後に下方に開口する一対のねじ孔Ｔ３７２を形成するようにしている。
【０１１９】
前後方向の補強桟Ｔ３４は、その上端にガラス板Ｔ４の下端に直接当たってガラス板Ｔ４を支持する支持面Ｔ３４ａを備え、内部空間Ｓを左右に略３分の１ずつ分割する位置に設けられたものである。
【０１２０】
左右方向の補強桟Ｔ３５は、内部空間ＴＳの前後方向の略中央位置に設けられ、下方に開口するチャネル状に形成されたものである
前記開口部Ｔ３８に蓋設されるガラス板Ｔ４は、等厚平板状をなし透光性を有するものである。このガラス板Ｔ４は、前記周囲水平壁Ｔ３１の天板外周面Ｔ３１ａの内縁に沿って設けた段部Ｔ３６の上向き面にその周縁部Ｔ４ｂの下面を支持され、上面Ｔ４ａが前記天板外周面Ｔ３１ａと面一になるようにして設けられている。なお、この段部Ｔ３６に防振用の樹脂によるシートを被覆するようにしてもよい。さらに、本実施の形態においても、該ガラス板Ｔ４に地中海ブルーもしくはコートダジュールブルーのものを採用し、会議における過度の緊張を和らげる効果を生むようにしている。なお、ガラス板Ｔ４は、このような効果を得るために海や空を連想させる青色系の色であればよい。
【０１２１】
脚要素Ｔ２は、中空柱状をなす脚本体Ｔ２１と、この脚本体Ｔ２１の下端に取り付けたアジャスタＴ２２とを具備するものであり、天板部本体Ｔ３に設けた脚要素取付部たる４箇所の凸部分Ｔ３７にそれぞれ取り付けられるものである。また、４本の脚要素Ｔ２は何れも同一構成のものである。
【０１２２】
なお、本実施形態においては、ダイキャスト成形設備や成形工程を簡易化する等の目的から、図３７、図３８に示すように互いに同形状をなす２つの構造体Ｔ３ａを接合することにより前記天板部本体Ｔ３を形成するようにしている。詳述すれば各構造体Ｔ３ａの側端には、図３９に示すように構造体Ｔ３ａの側面視輪郭形状と略合致する側端面形状を有した前後方向に延びる接合壁Ｔ３３がそれぞれ設けてあり、その側端面を接合面Ｔ３３ａとしている。具体的にこの接合面Ｔ３３ａは、中央部が上下に厚く、前後両端部が中央部より上下に薄いハットを逆さまにしたような形状をなす。そして、前後上下にわたってほぼ面一なこの接合面Ｔ３３ａ同士を押圧密着させることにより構造体Ｔ３ａ同士を接合している。各接合面Ｔ３３ａには、相互に離間した３箇所以上の部位に、ピン挿入孔Ｔ３３１を設けることによって両構造体Ｔ３ａを位置決めするパイプノックＰＫをそれぞれ配設して、各パイプノックＰＫ内に挿通させたボルト（図示省略）を用いて緊締結合するようにしている。
【０１２３】
ここで本実施形態では、天板部Ｔ１の長手方向の対向する２辺を使用縁Ｔ１ａとし、この両使用縁Ｔ１aに外方に膨らむ２つの膨出部たる第１の膨出部Ｔ７と、これら第１の膨出部Ｔ７間に位置し内方に凹陥する凹陥部Ｔ８とを設けている。そして、さらに短手方向の対向する２辺を使用縁Ｔ１ｂとして、この両使用縁Ｔ１ｂに第２の膨出部Ｔ９を設けている。
【０１２４】
第１の膨出部Ｔ７は、前記周囲水平壁Ｔ３１を使用縁Ｔ１ａから外方に平面視部分円弧状をなし、会議中に資料を広げたり、またノート型パーソナルコンピュータ（以下ノート型パソコンと略す）を置くために充分な使用領域が確保できるような大きさとなるように膨出させたものである。そして、本実施形態では、天板部Ｔ１のコーナ部分に隣接するように配置して、凹陥部Ｔ８より優先的に使用するようにしている。このコーナ部分の形状は、脚取付部たる凸部分Ｔ３７の上端部分と同心の部分円弧状に形成されたもので、前記第１の膨出部Ｔ７に連続形状をなしてデザイン的に良好なものとするとともに、天板部１のコーナー部分に強度を付与するようにしたものである。凹陥部Ｔ８は、長手方向の前後の使用縁Ｔ１ａにそれぞれ１つずつ形成したもので、前記周囲水平壁Ｔ３１を使用縁Ｔ１ａから平面視部分円弧状をなし、着座者が椅子ごと該凹陥部Ｔ８に嵌まり込める大きさとなるように凹陥させたものである。そして、この凹陥部Ｔ８は、前記第１の膨出部Ｔ７と連続した波形状をなしている。第２の膨出部Ｔ９は、周囲水平壁Ｔ３１を使用縁Ｔ１ｂから第１の膨出部Ｔ７と同形状に膨出させて形成したもので、前後のコーナ部分に隣接している。また、この第２の膨出部Ｔ９は、前記コーナ部分によって、前記第１の膨出部Ｔ７と連続的な波形状をなしている。したがって、発光ダイオード配置部Ｔ３５２に配される発光体たる発光ダイオードＬは、前後方向の中央に位置する補強桟Ｔ３５の両端から所定距離内側の範囲内に設けて、前記第１の膨出部Ｔ７、凹陥部Ｔ８、第２の膨出部Ｔ９のいずれに着座した場合においても、使用領域の周縁部に位置していることになる。
【０１２５】
脚本体Ｔ２１は、天板部本体Ｔ３同様、アルミダイキャスト製の一体成形品であり、塗装を施さずにアルミの地肌が表出されるようにしている。具体的に、これら脚本体Ｔ２１は、斜め後方（前脚）又は斜め前方（後脚）に開口する中空の周壁Ｔ２１２と、周壁Ｔ２１２の内側においてその上端から若干下方位置に設けられる上壁Ｔ２１３と、周壁Ｔ２１２の下端に設けられる底壁Ｔ２１５と、前記上壁Ｔ２１３よりも定位置において上壁Ｔ２１３と底壁Ｔ２１５との間の内部空間を上下に区画するように周壁Ｔ２１２の内面のうち開口端側の一部を残して略全周に亘って設けられる板状の水平リブＴ２１４と、底壁Ｔ２１５及び水平リブＴ２１４間に亘って内部空間を左右に区画するように設けられる板状の垂直リブＴ２１６とを有している。また、前記内部空間の下端部における奥行き方向中央部やや反開口端寄りの位置から先端部までは中実であり、アルミダイキャスト成形後にその部位及び底壁Ｔ２１５に下方に開口してアジャスタＴ２２のねじ軸部Ｔ２２ａを取り付けるためのねじ孔Ｔ２１７を形成するようにしている。特に本実施形態では、脚本体Ｔ２１は、周壁Ｔ２１２を下方に向かうにつれて漸次反開口端側へ傾斜しつつ徐々に細くなる形状にしているが、これは使用者に生物的な形状を連想させるよう、例えば動物の脚を模した形状に構成してある。また、脚本体Ｔ２１の垂直リブＴ２１６における高さ方向の異なる複数箇所（本実施形態では例えば３箇所）には、この垂直リブＴ２１６を部分的に厚肉にした円筒状の背板取付部Ｔ２１８を形成してあり、この背板取付部Ｔ２１８に、アルミダイキャスト製の板状をなし脚本体Ｔ２１の開口端側の形状に沿って湾曲する背板Ｔ２３をねじＴ２４により取り付けて、外観の向上を図っている。なお、背板Ｔ２３の上端は、水平リブＴ２１４の高さ位置に設定してあるため、水平リブＴ２１４と上壁Ｔ２１３との間の内部空間は後方へ開放されたままであり、この空間を通じてねじＴ２４を取り付ける作業を行い得るようにしている。しかして、これら脚要素Ｔ２には、周壁Ｔ２１２の上端部と上壁Ｔ２１３とによって囲繞される部位に、脚要素Ｔ２の天板部本体Ｔ３に対する被取付部たる凹部分Ｔ２１１を形成している。この凹部分Ｔ２１１の内周は、下方に向かうにつれて直径が漸次小さくなるテーパ面Ｔ２１１ａとなっており、具体的にはこのテーパ面Ｔ２１１ａが、前記凸部分Ｔ３７の外周のテーパ面Ｔ３７１ａの傾斜角度等の形状に対応している。さらに、この上壁Ｔ２１３の中心から偏位した位置であって前記凸部分Ｔ３７に形成されたねじ孔Ｔ３７２に対応する位置には、上下に貫通するねじ挿通孔Ｔ２１９を形成している。
【０１２６】
ここで、凸部分Ｔ３７の外周におけるテーパ面Ｔ３７１ａと凹部分Ｔ２１１の内周におけるテーパ面Ｔ２１１ａは、いずれも型抜き成形する際に必然的に生じる形状であるが、本実施形態ではこの型抜き成形により生じたテーパ形状をそのまま利用して前記凸部分Ｔ３７及び凹部分Ｔ２１１をテーパ結合させ、脚要素Ｔ２と天板部Ｔ１とをがたなく確実に接合した上で、脚要素Ｔ２の内部空間側から固定手段たるねじ部材Ｔ２５を前記ねじ挿通孔Ｔ２１９及びねじ孔Ｔ３７２に差し込んで、脚要素Ｔ２と天板部Ｔ１とを固定するようにしている
また、本実施の形態においては、天板部Ｔ１を構成する天板部本体Ｔ３の内部空間ＴＳに発光体たる発光ダイオードＬを配している。具体的には、前記補強桟Ｔ３５の複数箇所に、上下に貫通する孔からなる発光ダイオードＬの配置部３５２を設けて、この配置部Ｔ３５２に、発光ダイオードＬを着脱可能に取り付けている。
【０１２７】
発光ダイオードＬは、上記デスクＤで用いたものと同様のものであり、ソケット部Ｌ１、発光ダイオード本体、カバー部Ｌ２、配線部Ｌ３から構成されている。そして、電源装置を兼ねた操作部たる制御ボックスＴＣを補強桟Ｔ３５の左右両端うちどちらか一方に設けて、発光ダイオードＬの点灯又は消灯をコントロールするようにしている。この制御ボックスＴＣは、発光ダイオードＬの点灯及び消灯を指示するオン・オフスイッチＳＴ（図３５）を具備してなるものである。そして、補強桟Ｔ３５の左右端に下向きコ字状をなす折り曲げ部分を形成するとともに内壁要素Ｔ３２２を開口させて設けた制御ボックス取付部ＴＣに取り付けられたものである。本実施形態では、この前記制御ボックスＴＣは、発光ダイオードＬの点灯、消灯のみをコントロールするものであるが、さらに、光量を調節したり、周期的に点灯するように調節するようなものとしてもよい。そして、前記溝Ｔ３５１が発光ダイオードＬの配線案内路として機能し、制御ボックスＴＣから各発光ダイオードＬへ延びる配線部Ｌ３が、この溝Ｔ３５１内に通されることになる。発光ダイオードＬ及び電源装置を兼ねた操作部たる制御ボックスＴＣは、照明機構を構成している。
【０１２８】
本実施形態のテーブルＴは、以上説明した構成からなるものであり、その拠り所とした基本的コンセプトは、前記デスクＤと同様、オフィス空間ＯＳに存する人間にハイテンション感覚を与えるための緊張感惹起手段と、リラックス感覚を与えるためのリラックス感惹起手段とを具備するものであり、これらハイテンション感覚とリラックス感覚とにより作り出されるリズムを、定位置に存する人間に対して継続的に惹起させようとするものである。
【０１２９】
具体的には、本実施形態において緊張感惹起手段として採用した構成要素には、天板部Ｔ１の素材及び形状、天板部Ｔ１の内部空間ＴＳに設けた発光ダイオードＬを主体とする照明機構、脚本体Ｔ２１の素材などを挙げることができる。
【０１３０】
天板部Ｔ１は、デスクＤと同様にアルミダイキャストにより厚みのあるボックス状に一体成形され、その鋳肌部分を外部に表出させたものである。金属が人間に視覚或いは触覚を通じて与える堅牢さ、未来感が、当該天板部Ｔ１のボックス状の形態とが相まって、天板部Ｔ１の近傍の定位置に存する人間にハイテンション状態を引き起こす緊張感惹起手段としての役割を担い得る。しかも、アルミの柔らさ、暖かさゆえに、適度な心地よい緊張感を惹起させることができる。特に、アルミダイキャストの場合、鋳肌は一体的な存在感があるため、本物感、本物指向を醸成するという点で本発明の知的生産性向上手段たり得る。本実施形態においてテーブルＴの外観上の主要部をなすアルミダイキャスト製の部分、すなわち天板部本体Ｔ３及び脚本体Ｔ２１は、テーブル全体の過半部を占めており、その鋳肌を外面に表出させているため、本物感に溢れた印象を看者に与えることが可能になる。そのため、このテーブルＴによって、天板部Ｔ１の近傍の定位置に存するものに高質感をもたらすことになり、スタッフのやる気と集中を引き出す効果的な緊張感惹起手段となり得る。
【０１３１】
照明機構は、前述したとおり天板部本体Ｔ３の内部空間ＴＳに配した発光ダイオードＬと、この発光ダイオードＬに電力を供給し且つその給電状態を切り換える機能を備えた操作部たる制御ボックスＴＣを備えたものである。この制御ボックスＴＣにより発光ダイオードＬを点灯又は消灯させるとき、視野空間の定常状態が壊され、このときの変化はビビッドに天板部Ｔ１近傍の定位置に存する者の心や頭脳に働いてこれらを活性化するため、このようなビビッドな変化の中にいる者にヒントを得、修正し、発想する力を誘発させることができ、スイッチングを伴う照明機構は緊張感惹起手段としての役割を担い得る。
【０１３２】
これに対して、本実施形態においてリラックス感惹起手段として採用した構成要素には、天板部Ｔ１の造形部分、照明機構、ガラス板Ｔ４、脚本体Ｔ２１の形状などを挙げることができる。
【０１３３】
天板部Ｔ１は、前述したように、その周縁部の一つである使用端Ｔ１ａに、某出部Ｔ７，Ｔ９と凹陥部Ｔ８からなる波形状の曲線部分を造形したものである。このような造形は人間に自然界、自然美を感じさせ、これにより人間を自然に回帰させ、自然界の摂理に近づけさせるとともに、周辺環境を自然によって包み込むことで定位置に存する者に気持ちの良い安らぎの感覚を覚えさせることができるため、かかる造形は本発明のリラックス感惹起手段としての機能を営み得る。特に、波の形態は生命誕生の起源である海への回帰を連想させるため、具体的かつ直接的に人間の感性に訴え得るものである。
【０１３４】
照明機構は、上記のように緊張感惹起手段を構成するものではあるが、同時にリラックス感惹起手段としての機能をも持ち併せる。光も、点灯状態が維持されれば光の持つ本来の暖かさにより人間に生理的な安定をもたらすため、リラックス感を惹起させて集中力を高める精神的土壌を形成する上で奏功する。消灯状態が持続する場合にもこれに準じた事が言える。
【０１３５】
ガラス板Ｔ４は、前述したように青系統のものであり、川や海、空を連想させて開放的な雰囲気を醸成する上に、生理的、心理的にも、精神を沈静化、安定化させる作用、集中力を促進させる作用なども営むため、リラックス感惹起手段として機能し得る。特に、青系統の色に、地中海ブルー又はコードダジュールブルーを採用すると、世界的に有名なリゾート地の開放感あふれる雰囲気を醸し出すことができるため、リラックス感惹起手段としての機能はより高められるものとなる。
【０１３６】
脚本体Ｔ２１は、動物の脚の形態を模した造形部分を有するため、上記デスクＤの前脚本体Ｄ２ｆ１と同様にリラックス感惹起手段として機能しうる。
【０１３７】
本実施形態の知的活動空間構成設備は、以上説明した緊張感惹起手段及びリラックス感惹起手段を具備してなるものである。
【０１３８】
また、以上のような緊張感惹起手段やリラックス感惹起手段を用いると、テーブルＴに就いた状態で、目線の移動に応じて、波状をなす天板部Ｔ１の使用端Ｔ１ａからリラックス感を惹起され、アルミダイキャストの鋳肌から緊張感を惹起され、青系統のガラス板Ｄ４からリラックス感を惹起されるといった具合に、天板部Ｔ１近傍の定位置に存する者がハイテンション状態とリラックス状態とを交互にリズミカルに引き出されるようになる。このような作用は、利用者が意図的に一定の操作を行った場合も同様で、照明機構の操作部である制御ボックスＴＣを操作して発光ダイオードＬを明滅させた際に緊張感が惹起され、その後に点灯状態や消灯状態が維持された際にリラックス感が惹起され、天板部Ｔ１を離れると、脚本体Ｔ２１の素材や形態により緊張感やリラックス感を惹起され、自らをハイテンション状態とリラックス状態とに交互にリズミカルに引き込むことができる。
【０１３９】
そして、このような緊張感とリラックス感とを定位置に存する人間に対して継続的に波のようにリズミカルに惹起させれば、やすらぎの中での集中力アップ、これによる知的生産性の向上を効果的に誘発することができ、オフィス空間においては「知的集約力と創造性」をバックアップするための天板付き家具として極めて有用なものになると同時に、ホームにおける書斎や家事室に適用した場合にも、家庭にクリエイティブな執務空間を有効に構築することが可能となる。緊張感は自らが舞台の主役となって物語を創っていくような感覚、或いは自らを鼓舞し、目的達成のためにチャレンジしていく感覚を伴う。
【０１４０】
特に、天板部Ｔ１で会議等を行う場合等は、利用者が定位置において継続的に天板部Ｔ１と対面するので、このようなリズムを継続的に惹起させ易いものとなる。
【０１４１】
５．サイドデスクＳ
サイドデスクＳについて、図４２及び図４３を用いて説明する。
【０１４２】
サイドデスクＳは、図４２に示すように、サイドデスク本体Ｓ１と、前記サイドデスク本体Ｓ１の前面開口部Ｓ１ａに引出し可能に設けた引出しＳ２とを具備している。そして、このサイドデスクＳは、図４３に示すように、左右の側背構造体Ｓ３を突き合わせて接合することにより前記サイドデスク本体Ｓ１の側面及び背面を囲う周壁Ｓ１ｂを形成し、その上端部側に前端が湾曲した天板Ｓ４を取り付けて前記サイドデスク本体Ｓ１を構成している。この側背構造体Ｓ３も、前述した収納家具Ｃの側背構造体Ｃ３と同様、左右対称形状をなしている左右一対のもので、側板部Ｓ７と背板部Ｓ８とを一体にアルミダイキャストにより成形してその鋳肌を外面に表出させたものであり、これら両側背構造体Ｓ３の背板部Ｓ８同士を突き合わせて前記サイドデスク本体Ｓ１の周壁Ｓ１ｂを構成している。
【０１４３】
このサイドデスクＳを上記デスクＤに隣接させると、前端がデスクＤの使用端Ｄ１ａと連続してリラックス感惹起手段として機能する波形状を構成することになる。
【０１４４】
以上詳述した家具類の他に、知的活動空間構成設備として、このオフィス空間ＯＳを包囲する位置に配置されるウォールユニット、フロア一帯に敷き詰められるフロアユニット、天井に敷き詰められるシーリングユニット等に、緊張感惹起手段及びリラックス惹起手段の少なくとも一方を化体させてもよい。
【０１４５】
例えば、ウォールユニットは、全部もしくは一部をアルミダイキャスト製の一体成形品とする。このようにすれば、視野の大半を占めるこのウォールユニットの表出したアルミダイキャストの鋳肌部分が程良い緊張感を与える緊張感惹起手段となり得る。
【０１４６】
また、フロアユニットを、アルミダイキャスト製のフレーム内に木質チップボードを嵌め込んだものとする。このようにすれば、オフィス空間ＯＳに足を踏み入れると目の前に広がるフロアに表出したアルミダイキャストの鋳肌による本物感と堅牢感とを感じさせ、緊張感惹起手段として機能し得るものとなる。一方、アルミダイキャストのフレーム間からのぞく自然を連想させる木質チップは、リラックス感惹起手段となり得る。
【０１４７】
また、シーリングユニットは、全部もしくは一部をアルミダイキャスト製のブロック式のものとする。これもまた、天井一体に広がるアルミダイキャストの表出した鋳肌が、緊張感惹起手段となり得る。
【０１４８】
これらフロアユニットやシーリングユニットは、それぞれフロア一面、天井一面を覆うように配されるため、オフィス空間ＯＳ内に存する人間ほぼすべてに刺激を与えることができる。
【０１４９】
さらに、オフィス空間ＯＳ内で使用するステーショナリに、緊張感惹起手段及びリラックス惹起手段の少なくとも一方を化体させてもよい。
【０１５０】
例えば、ボールペンやシャープペンの本体部分をアルミダイキャスト製とする。
【０１５１】
また、ファイルやバインダなどのカバー部分をアルミダイキャスト製とする。
【０１５２】
さらに、フォトフレームや、ピクチャーフレーム、その他ミラーや壁掛け時計などのフレーム部分を、アルミダイキャストによって成形するようにする。
【０１５３】
その他、カリキュレータ、ビジネスフォン、マウス、メジャー、卓上ブックエンド、灰皿、ゴミ箱などの全部もしくは一部をアルミダイキャストによって成形するようにする。
【０１５４】
このように、オフィス空間ＯＳ内の人間が仕事中に手にしたり、身の回りに置かれるステーショナリをアルミダイキャストの鋳肌が表出するものとすれば、これらが仕事中に度々視野に入り、その度ごとにオフィス空間ＯＳ内に存する人間に程よい緊張感を感じさせ、仕事に対する集中力を与えて活性化させる緊張感惹起手段として機能させることができる。くわえて、これらステーショナリをアルミダイキャスト製に統一することにより、これらが散在することで雑然となりがちな雰囲気を排除し、より仕事に没頭させるハイテンション感を与えることができる
さらに、以上のようなステーショナリに自然界に存在する形態を模した自然回帰タイプの造形部分を施すようにしてもよく、このようにすれば、リラックス感惹起手段としても機能させることができる。
【０１５５】
以上のように、このオフィス空間ＯＳには、緊張感惹起手段やリラックス感惹起手段として機能する様々な家具や、ウォールユニット、ステーショナリなどが配置されていて、このオフィス空間ＯＳに存する人間に知的活動を支援するような効果的な刺激を与えるものである。
【０１５６】
【発明の効果】
以上詳述したように、本発明の知的活動空間構成設備は、定位置空間に配備されるものであって、この定位置空間内に存する人間にハイテンション感覚を与えるための緊張感惹起手段と、前記定位置空間に存する人間にリラックス感覚を与えるためのリラックス感惹起手段とを具備してなるので、定位置空間に居ながら、緊張感惹起手段により与えられるハイテンション感覚と、リラックス感惹起手段により与えられるやすらぎ感覚を享受することができる。
【図面の簡単な説明】
【図１】本発明の一実施形態を示す全体図。
【図２】本発明の一実施形態を構成するデスクの全体斜視図。
【図３】同分解斜視図。
【図４】同正面図。
【図５】同側面図
【図６】同天板部の平面図。
【図７】同天板部の底面図。
【図８】図６におけるＤＸ−ＤＸ線概略断面図。
【図９】同実施形態におけるデスクのスピーカボックスの中央縦断面図。
【図１０】図６におけるスピーカボックスを取り付けた状態でのＤＸ−ＤＸ線概略断面図。
【図１１】図６におけるＤＢ−ＤＢ線概略断面図。
【図１２】図６におけるＤＣ−ＤＣ線概略断面図。
【図１３】図７におけるＤＡ−ＤＡ線概略断面図。
【図１４】図６におけるＤＤ−ＤＤ線概略断面図。
【図１５】図６におけるＤＥ−ＤＥ線概略断面図。
【図１６】同実施形態におけるデスクのホーン部分を示す一部破断させた分解斜斜視図。
【図１７】同実施形態におけるデスクの音響作用を示す作用説明図。
【図１８】同実施形態における椅子の全体斜視図。
【図１９】同分解斜視図。
【図２０】同側面図。
【図２１】同正面図。
【図２２】同背面図。
【図２３】同実施形態における椅子の型抜きの方向を示す概略図。
【図２４】同実施形態における椅子の部分断面図
【図２５】同実施形態における収納家具の全体斜視図。
【図２６】同分解斜視図。
【図２７】同正面図。
【図２８】同右側面図。
【図２９】同背面図。
【図３０】同図２６におけるＩ−Ｉ線断面図。
【図３１】同図２７におけるＩＩ−ＩＩ線断面図。
【図３２】同製造工程を示す説明図。
【図３３】同実施形態におけるテーブルの全体斜視図。
【図３４】同正面図。
【図３５】同側面図。
【図３６】本実施形態におけるテーブルの天板を示す平面図。
【図３７】本実施形態におけるテーブルの天板を示す底面図。
【図３８】図３３における分解斜視図。
【図３９】図３６におけるＴＢ−ＴＢ線での側面図。
【図４０】本実施形態におけるテーブルの脚の縦断面図。
【図４１】図３６におけるＴＡ−ＴＡ線概略断面図。
【図４２】本実施形態におけるサイドデスクの全体斜視図。
【図４３】同底面図。
【符号の説明】
Ｃ・・・家具（収納家具）
Ｄ・・・家具（デスク）
Ｉ・・・家具（椅子）
Ｌ・・・発光体（発光ダイオード）
Ｄ１、Ｔ１・・・天板部
Ｄ１ａ・・・使用縁（使用端）
Ｄ２ｆ１・・・脚部（前脚本体）
Ｄ４、Ｔ４・・・ガラス板
Ｄ５・・・スピーカユニット
Ｄ５３・・・音響管
Ｄａ、Ｔａ・・・天板面
ＤＳ、ＴＳ・・・空洞部分（内部空間）
ＯＦ・・・定位置空間（オフィス空間）
Ｓ・・・家具（サイドデスク）
Ｔ１ａ、Ｔ１ｂ・・・使用縁
Ｔ・・・家具（テーブル）
Ｔ２１・・・脚部（脚本体）
【図１】
0004236403.tif 000002
【図２】
0004236403.tif 000003
【図３】
0004236403.tif 000004
【図４】
0004236403.tif 000005
【図５】
0004236403.tif 000006
【図６】
0004236403.tif 000007
【図７】
0004236403.tif 000008
【図８】
0004236403.tif 000009
【図９】
0004236403.tif 000010
【図１０】
0004236403.tif 000011
【図１１】
0004236403.tif 000012
【図１２】
0004236403.tif 000013
【図１３】
0004236403.tif 000014
【図１４】
0004236403.tif 000015
【図１５】
0004236403.tif 000016
【図１６】
0004236403.tif 000017
【図１７】
0004236403.tif 000018
【図１８】
0004236403.tif 000019
【図１９】
0004236403.tif 000020
【図２０】
0004236403.tif 000021
【図２１】
0004236403.tif 000022
【図２２】
0004236403.tif 000023
【図２３】
0004236403.tif 000024
【図２４】
0004236403.tif 000025
【図２５】
0004236403.tif 000026
【図２６】
0004236403.tif 000027
【図２７】
0004236403.tif 000028
【図２８】
0004236403.tif 000029
【図２９】
0004236403.tif 000030
【図３０】
0004236403.tif 000031
【図３１】
0004236403.tif 000032
【図３２】
0004236403.tif 000033
【図３３】
0004236403.tif 000034
【図３４】
0004236403.tif 000035
【図３５】
0004236403.tif 000036
【図３６】
0004236403.tif 000037
【図３７】
0004236403.tif 000038
【図３８】
0004236403.tif 000039
【図３９】
0004236403.tif 000040
【図４０】
0004236403.tif 000041
【図４１】
0004236403.tif 000042
【図４２】
0004236403.tif 000043
【図４３】
0004236403.tif 000044